(57)【要約】【課題】従来と比べて一段と容易に一時保留部から媒体を除去できるようにする。【解決手段】紙幣入出金機１０は、紙幣入出金機１０は、所定の条件を満たしている場合にのみ自動排出ボタン１６１の押下（オン）に基づき、一時保留部２５に紙幣の自動排出を行わせ、一時保留部２５から排出された紙幣を収納スペースＳｐに収納するようにした。これにより、例えば操作ノブを回して一時保留部から手動で紙幣を排出させる場合と比べて、短時間で一時保留部２５から紙幣を除去できる。【選択図】図１３
2019212054.tif 000002
【特許請求の範囲】
【請求項１】
テープとともに媒体が巻き付けられるドラムを内部に有する一時保留部と、前記一時保留部の動作を制御する制御部とを備えた媒体処理装置であって、
前記一時保留部は、
前記一時保留部の外部から前記ドラムまで前記媒体を搬送するとともに、前記ドラムから前記一時保留部の外部へ前記媒体を搬送する搬送部と、
前記ドラムを回転させる駆動部と、
前記ドラムに巻き付けられた媒体の排出を指示するための操作部と
を有し、
前記制御部は、
所定の条件を満たす場合にのみ、前記操作部の操作に基づき、前記ドラムに巻き付けられた媒体を前記一時保留部の外部へ排出するように前記搬送部及び前記駆動部を制御する
ことを特徴とする媒体処理装置。
【請求項２】
前記制御部は、
前記操作部が操作されたことを認識すると、前記所定の条件を満たしているかどうかを判断し、前記所定の条件を満たしていると判断した場合にのみ、前記操作部の操作を有効として、前記ドラムに巻き付けられた媒体を前記一時保留部の外部へ排出するように前記搬送部及び前記駆動部を制御する
ことを特徴とする請求項１に記載の媒体処理装置。
【請求項３】
前記制御部は、
前記操作部が操作されたことを認識すると、前記所定の条件を満たしているかどうかを判断し、前記所定の条件を満たしていないと判断した場合には、前記操作部の操作を無効として、前記ドラムに巻き付けられた媒体を前記一時保留部の外部へ排出することなく、前記所定の条件を満たしてなく前記一時保留部から媒体を外部へ排出できない旨を表示部に表示させる
ことを特徴とする請求項１又は２に記載の媒体処理装置。
【請求項４】
前記一時保留部は、
前記一時保留部の外部に位置する保留部外搬送路と接続されて前記保留部外搬送路との間で媒体を搬送することが可能な接続状態と、前記保留部外搬送路と切り離されて前記保留部外搬送路との間で媒体を搬送することが不可能な非接続状態とに遷移可能であり、
前記所定の条件は、前記一時保留部が前記非接続状態にあることであり、
前記制御部は、
前記操作部が操作されたことを認識すると、前記一時保留部が前記非接続状態にあるかどうかを判断し、前記非接続状態にあると判断した場合にのみ、前記操作部の操作を有効として、前記ドラムに巻き付けられた媒体を前記一時保留部の外部へ排出するように前記搬送部及び前記駆動部を制御する
ことを特徴とする請求項２又は３に記載の媒体処理装置。
【請求項５】
前記一時保留部が前記非接続状態にあるかどうかを検知する検知部をさらに備え、
前記制御部は、
前記検知部の検知結果をもとに、前記一時保留部が前記非接続状態にあるかどうかを判断する
ことを特徴とする請求項４に記載の媒体処理装置。
【請求項６】
前記操作部は、
前記一時保留部が前記接続状態から前記非接続状態に遷移することにともなって装置外部に露出して操作可能となる
ことを特徴とする請求項４に記載の媒体処理装置。
【請求項７】
前記一時保留部が前記接続状態から前記非接続状態に遷移することにともなって形成される空間を収納スペースとして、前記収納スペースに前記一時保留部から排出される媒体を収納する
ことを特徴とする請求項４〜６のいずれかに記載の媒体処理装置。
【請求項８】
前記制御部は、
前記一時保留部に前記媒体の排出を開始させた後も、前記所定の条件を満たしているか否かを監視し、前記所定の条件を満たしていないと判断すると、前記一時保留部が前記媒体の排出を停止するように前記搬送部及び前記駆動部を制御する
ことを特徴とする請求項２〜７のいずれかに記載の媒体処理装置。
【請求項９】
前記所定の条件は、前記一時保留部が前記ドラムに巻き付けられている媒体を正常に排出できる状態にあることと、前記一時保留部が前記非接続状態にあることであり、
前記制御部は、
前記操作部が操作されたことを認識すると、前記一時保留部が前記ドラムに巻き付けられている媒体を正常に排出できる状態にあるかどうかを判断するとともに、前記一時保留部が前記非接続状態にあるかどうかを判断し、前記一時保留部が前記ドラムに巻き付けられている媒体を正常に排出できる状態にあり、且つ前記非接続状態にあると判断した場合にのみ、前記操作部の操作を有効として、前記ドラムに巻き付けられた媒体を前記一時保留部の外部へ排出するように前記搬送部及び前記駆動部を制御する
ことを特徴とする請求項４〜７のいずれかに記載の媒体処理装置。
【請求項１０】
テープとともに媒体が巻き付けられるドラムを内部に有する一時保留部と、前記一時保留部の動作を制御する制御部とを備えた媒体処理装置であって、
前記一時保留部は、
前記一時保留部の外部に位置する保留部外搬送路と接続されて前記保留部外搬送路との間で媒体を搬送することが可能な接続状態と、前記保留部外搬送路と切り離されて前記保留部外搬送路との間で媒体を搬送することが不可能な非接続状態とに遷移可能であり、
さらに前記一時保留部は、
前記一時保留部の外部から前記ドラムまで前記媒体を搬送するとともに、前記ドラムから前記一時保留部の外部へ前記媒体を搬送する搬送部と、
前記ドラムを回転させる駆動部と
を有し、
前記制御部は、
前記一時保留部が前記非接続状態にある場合にのみ、前記ドラムに巻き付けられた媒体を前記一時保留部の外部へ排出するように前記搬送部及び前記駆動部を制御する
ことを特徴とする媒体処理装置。
【請求項１１】
前記一時保留部が前記接続状態から前記非接続状態に遷移することにともなって形成される空間を収納スペースとして、前記収納スペースに前記一時保留部から排出される媒体を収納する
ことを特徴とする請求項１０に記載の媒体処理装置。
【請求項１２】
前記制御部は、
前記一時保留部が前記非接続状態にある場合にのみ、前記ドラムに巻き付けられた媒体の排出を指示するための操作部の操作に基づき、前記ドラムに巻き付けられた媒体を前記一時保留部の外部へ排出するように前記搬送部及び前記駆動部を制御する
ことを特徴とする請求項１０又は１１に記載の媒体処理装置。
【請求項１３】
テープとともに媒体が巻き付けられるドラムを内部に有する一時保留部と、前記一時保留部の動作を制御する制御部とを有する媒体処理装置を備えた自動取引装置であって、
前記一時保留部は、
前記一時保留部の外部から前記ドラムまで前記媒体を搬送するとともに、前記ドラムから前記一時保留部の外部へ前記媒体を搬送する搬送部と、
前記ドラムを回転させる駆動部と、
前記ドラムに巻き付けられた媒体の排出を指示するための操作部と
を有し、
前記制御部は、
所定の条件を満たす場合にのみ、前記操作部の操作に基づき、前記ドラムに巻き付けられた媒体を前記一時保留部の外部へ排出するように前記搬送部及び前記駆動部を制御する
ことを特徴とする自動取引装置。
【請求項１４】
テープとともに媒体が巻き付けられるドラムを内部に有する一時保留部と、前記一時保留部の動作を制御する制御部とを有する媒体処理装置を備えた自動取引装置であって、
前記一時保留部は、
前記一時保留部の外部に位置する保留部外搬送路と接続されて前記保留部外搬送路との間で媒体を搬送することが可能な接続状態と、前記保留部外搬送路と切り離されて前記保留部外搬送路との間で媒体を搬送することが不可能な非接続状態とに遷移可能であり、
さらに前記一時保留部は、
前記一時保留部の外部から前記ドラムまで前記媒体を搬送するとともに、前記ドラムから前記一時保留部の外部へ前記媒体を搬送する搬送部と、
前記ドラムを回転させる駆動部と
を有し、
前記制御部は、
前記一時保留部が前記非接続状態にある場合にのみ、前記ドラムに巻き付けられた媒体を前記一時保留部の外部へ排出するように前記搬送部及び前記駆動部を制御する
ことを特徴とする自動取引装置。
【発明の詳細な説明】
【技術分野】
【０００１】
本発明は媒体処理装置及び自動取引装置に関するものであり、例えば紙幣などの紙葉状の媒体を投入して所望の取引を行う現金自動預払機（ＡＴＭ：Automatic Teller Machine）等に適用して好適なものである。
【背景技術】
【０００２】
従来、金融機関等で使用される現金自動預払機では、使用者（例えば金融機関の顧客）との取引内容に応じて、顧客に紙幣や硬貨等の現金を入金させる入金取引や、顧客へ現金を出金する出金取引等の各種取引を行うようになっている。
【０００３】
この現金自動預払機は、例えば、顧客との間で紙幣の授受を行う入出金口と、投入された紙幣の金種及び真偽を鑑別する鑑別部と、投入された紙幣を一時的に保留する一時保留部と、金種ごとに紙幣を格納する紙幣カセットとを有している。
【０００４】
また、この現金自動預払機として、紙幣をテープとともにドラムに巻き付けるようにして収納するテープ方式の一時保留部を有するものがある。テープ方式の一時保留部を有する現金自動預払機では、一時保留部に残留している紙幣を除去する必要が生じた場合に、作業員が一時保留部に設けられた操作ノブを回してドラムを紙幣収納時とは逆方向に手動で回転させることで、ドラムに巻き付けられている紙幣を一時保留部から排出して除去できるようになっている（例えば特許文献１参照）。
【先行技術文献】
【特許文献】
【０００５】
【特許文献１】特開２０１３−１０９５００号公報
【発明の概要】
【発明が解決しようとする課題】
【０００６】
しかしながら、従来の現金自動預払機のように、作業員が操作ノブを回して一時保留部に残留している紙幣を除去する場合、残留している紙幣の枚数が多いほど、作業員が操作ノブを回す回数も多くなり、紙幣の除去に時間がかかるという問題を有していた。
【０００７】
本発明は以上の点を考慮してなされたもので、従来と比べて一段と容易に一時保留部から媒体を除去できる媒体処理装置及び自動取引装置を提案しようとするものである。
【課題を解決するための手段】
【０００８】
かかる課題を解決するため本発明においては、テープとともに媒体が巻き付けられるドラムを内部に有する一時保留部と、前記一時保留部の動作を制御する制御部とを備え、前記一時保留部は、前記一時保留部の外部から前記ドラムまで前記媒体を搬送するとともに、前記ドラムから前記一時保留部の外部へ前記媒体を搬送する搬送部と、前記ドラムを回転させる駆動部と、前記ドラムに巻き付けられた媒体の排出を指示するための操作部とを有し、前記制御部は、所定の条件を満たす場合にのみ、前記操作部の操作に基づき、前記ドラムに巻き付けられた媒体を前記一時保留部の外部へ排出するように前記搬送部及び前記駆動部を制御するようにした。
【０００９】
また本発明においては、テープとともに媒体が巻き付けられるドラムを内部に有する一時保留部と、前記一時保留部の動作を制御する制御部とを備え、前記一時保留部は、前記一時保留部の外部に位置する保留部外搬送路と接続されて前記保留部外搬送路との間で媒体を搬送することが可能な接続状態と、前記保留部外搬送路と切り離されて前記保留部外搬送路との間で媒体を搬送することが不可能な非接続状態とに遷移可能であり、さらに前記一時保留部は、前記一時保留部の外部から前記ドラムまで前記媒体を搬送するとともに、前記ドラムから前記一時保留部の外部へ前記媒体を搬送する搬送部と、前記ドラムを回転させる駆動部とを有し、前記制御部は、前記一時保留部が前記非接続状態にある場合にのみ、前記ドラムに巻き付けられた媒体を前記一時保留部の外部へ排出するように前記搬送部及び前記駆動部を制御するようにした。
【００１０】
これにより、ドラムに巻き付けられた媒体を一時保留部の外部へ排出するよう一時保留部を自動で動作させることができるので、操作ノブを回して一時保留部に残留している紙幣を除去する場合と比べて、短時間で一時保留部から媒体を除去できる。
【発明の効果】
【００１１】
本発明によれば、従来と比べて一段と容易に一時保留部から媒体を除去できる媒体処理装置及び自動取引装置を実現できる。
【図面の簡単な説明】
【００１２】
【図１】現金自動預払機の外観構成を示す斜視図である。
【図２】紙幣入出金機の内部構成を示す側面図である。
【図３】紙幣入出金機の上部ユニット及び下部ユニットの内部構成を示す側面図である。
【図４】一時保留部の内部構成を示す側面図である。
【図５】一時保留部の外周に形成される巻付層を示す図である。
【図６】オープンガイドが開いた状態の一時保留部を示す図である。
【図７】一時保留部の主テープ走行系及び補助テープ走行系の構成を示す斜視図である。
【図８】一時保留部のスライド機構を示す側面図である。
【図９】一時保留部がスライド機構によってスライドする様子を示す図である。
【図１０】ハーフオープン位置にある一時保留部から紙幣が排出される様子を示す図である。
【図１１】第１の実施の形態によるハーフオープン位置の検知方法を示す図である。
【図１２】自動排出処理の前に作業員が行う作業の手順を示すフローチャートである。
【図１３】自動排出処理の手順を示すフローチャートである。
【図１４】エラー画面の表示例を示す図である。
【図１５】第２の実施の形態によるハーフオープン位置の検知方法を示す図である。
【図１６】第３の実施の形態による自動排出ボタンの操作方法を示す図である。
【発明を実施するための形態】
【００１３】
以下、発明を実施するための形態（以下実施の形態とする）について、図面を用いて説明する。
【００１４】
［１．第１の実施の形態］
［１−１．現金自動預払機及の全体構成］
図１に外観を示すように、自動取引装置としての現金自動預払機１は、箱状の筐体２を中心に構成されており、例えば金融機関や各種商業施設等に設置され、使用者（すなわち金融機関や商業施設の顧客等）との間で、入金処理や出金処理等の現金に関する取引を行う。
【００１５】
筐体２は、その前側に使用者が対峙した状態で紙幣の投入やタッチパネルによる操作等をしやすい箇所に応対部３が設けられている。応対部３は、使用者との間で例えば現金やカード等を直接やり取りすると共に、取引に関する情報の通知や操作指示の受付を行うようになされており、カード入出口４、入出金口５、操作表示部６、テンキー７、及びレシート発行口８が設けられている。
【００１６】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、使用者によって入金される紙幣が投入されると共に、使用者へ出金する紙幣が排出される部分である。また入出金口５は、シャッタを駆動することにより開放又は閉塞するようになっている。
【００１７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１８】
以下では、現金自動預払機１のうち使用者が対峙する側を前側とし、その反対を後側とし、さらに前側に対峙した使用者から見て上下左右をそれぞれ上側、下側、左側及び右側として説明する。
【００１９】
筐体２の内部には、現金自動預払機１全体を統括制御する主制御部９や、取引対象である紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）や、ハードディスクドライブ、フラッシュメモリ等でなる記憶部を有しており、この記憶部に種々の情報を記憶させる。
【００２０】
［１−２．紙幣入出金機の構成］
紙幣入出金機１０は、図２に側面図を示すように、内部に媒体としての紙幣に関する種々の処理を行う複数の部分が組み込まれている。この紙幣は、例えば紙や樹脂等の材料を用いて形成された長方形の紙葉状媒体であり、紙幣入出金機１０内部では、短手方向に搬送されるようになっている。
【００２１】
紙幣入出金機１０は、大きく分けて、全体の外側部分を構成する紙幣入出金機フレーム１０Ｆと、紙幣入出金機フレーム１０Ｆの上側部分を占める上部ユニット１０Ｕと、下側部分を占める下部ユニット１０Ｌとにより構成されている。
【００２２】
紙幣入出金機フレーム１０Ｆは、筐体２（図１）の内部に取り付けられている。上部ユニット１０Ｕ及び下部ユニット１０Ｌは、この紙幣入出金機フレーム１０Ｆに対し、それぞれ前後方向に沿ったスライドレール（図示せず）を介して取り付けられている。このため紙幣入出金機１０は、例えば、筐体２の前扉が開放された状態において、紙幣入出金機フレーム１０Ｆから上部ユニット１０Ｕ及び下部ユニット１０Ｌのそれぞれを前方へ引き出すことができ、また、前方へ引き出した上部ユニット１０Ｕ及び下部ユニット１０Ｌのそれぞれを後方へ押し込むことにより、紙幣入出金機フレーム１０Ｆ内に格納することができる。
【００２３】
［１−２−１．上部ユニットの構成］
図２の上部を拡大した図３（Ａ）に示すように、上部ユニット１０Ｕには、全体を統括制御する紙幣制御部２０、接客部２１、上前搬送部２２、鑑別部２３、上後搬送部２４、一時保留部２５及びリジェクト庫２６が設けられている。
【００２４】
紙幣制御部２０は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部２０は、内部にＲＡＭやフラッシュメモリ等でなる記憶部を有しており、この記憶部に種々の情報を記憶させる。尚、図３（Ａ）に示す紙幣制御部２０の位置は、一例であり、上部ユニット１０Ｕの他の位置に設けられていてもよい。
【００２５】
接客部２１は、使用者との間で紙幣を受け渡すことにより、使用者に紙幣を入金させたり、使用者に紙幣を出金させたりする部分である。接客部２１は、紙幣を収容する収容器３０を有している。この収容器３０は、上端が入出金口５（図１）と繋がる開口部となっている。接客部２１は、収容器３０の開口部を可動式のシャッタ３１により開放又は閉塞するようになっている。また、接客部２１は、収容器３０の前端部と接客部２１の前側下方に位置する上前搬送部２２とを繋ぐ搬送路３２、及び収容器３０の後端部と接客部２１の後方に位置する上後搬送部２４とを繋ぐ搬送路３３を有している。
【００２６】
この接客部２１は、収容器３０内に収容された紙幣を１枚ずつに分離しながら図中丸印で示す搬送ローラにより搬送路３２に沿って上前搬送部２２へと搬送する。また接客部２１は、上後搬送部２４から搬送されてきた紙幣を、搬送ローラにより搬送路３３に沿って収容器３０まで搬送し、収容器３０内へ放出させるようになっている。
【００２７】
上前搬送部２２は、上部ユニット１０Ｕ内部の前下側に位置しており、１つの分岐箇所を有する搬送路４０と、搬送路４０の分岐箇所に設けられた、紙幣の搬送経路を切り替える切替器４１とを有している。搬送路４０は、接客部２１の搬送路３２、鑑別部２３、及び下部ユニット１０Ｌの前部と接続されている。
【００２８】
この上前搬送部２２は、紙幣制御部２０の制御に従って切替器４１を動作させることで、搬送路４０をもとに形成される紙幣の搬送経路を、接客部２１の搬送路３２と鑑別部２３を繋ぐ搬送経路、又は鑑別部２３と下部ユニット１０Ｌの前部とを繋ぐ搬送経路に切り替える。そして、上前搬送部２２は、切り替えた搬送経路に沿って搬送ローラにより紙幣を搬送するようになっている。
【００２９】
鑑別部２３は、接客部２１の下方且つ上前搬送部２２の後方に位置している。鑑別部２３は、前方の上前搬送部２２及び後方の上後搬送部２４と接続された直線状の鑑別搬送路５０を有していて、この鑑別搬送路５０に沿ってセンサ５１が配置されている。センサ５１は、例えば紙幣の磁気を読み取る磁気センサ、紙幣の画像を読み取るイメージセンサ、紙幣の厚みを検知する厚みセンサ及び紙幣の走行状態を検出する走行センサ等を組み合せたものとなっている。
【００３０】
鑑別部２３は、鑑別搬送路５０に沿って搬送ローラにより紙幣を搬送しながら、センサ５１から得られる種々の検知結果を紙幣の鑑別結果として紙幣制御部２０へ送る。紙幣制御部２０は、鑑別部２３から送られてくる鑑別結果をもとに紙幣の金種、真偽、正損（損傷しているか否か）等を判断すると共に搬送状態を認識し、得られた結果を基に紙幣の搬送経路や搬送先を決定するようになっている。
【００３１】
上後搬送部２４は、接客部２１及び鑑別部２３の後方に位置している。この上後搬送部２４は、３つの分岐箇所を有する搬送路６０と、３つの分岐箇所のそれぞれに設けられた、切替器６１、６２、６３を有している。
【００３２】
搬送路６０は、接客部２１の搬送路３３、鑑別部２３、一時保留部２５、リジェクト庫２６、及び下部ユニット１０Ｌの後部と接続されている。この上後搬送部２４は、紙幣制御部２０の制御に従って３つの切替器６１、６２、６３を動作させることで、搬送路６０をもとに形成される紙幣の搬送経路を、鑑別部２３と一時保留部２５とを繋ぐ搬送経路、鑑別部２３と接客部２１の搬送路３３とを繋ぐ搬送経路、鑑別部２３とリジェクト庫２６とを繋ぐ搬送経路、又は下部ユニット１０Ｌの後部とリジェクト庫２６とを繋ぐ搬送経路に切り替えるようになっている。そして、上後搬送部２４は、切り替えた搬送経路に沿って搬送ローラにより紙幣を搬送するようになっている。
【００３３】
一時保留部２５は、紙幣をテープとともにドラムに巻き付けるようにして収納するテープ方式であり、上後搬送部２４から紙幣が搬送されてくると、この紙幣をドラムの周側面近傍まで搬送して、ドラムを回転させることにより、紙幣をテープと共にドラムの周側面に巻き付けて収納する。また一時保留部２５は、紙幣を繰り出す場合、ドラムとテープを巻き取るリールとを紙幣収納時とは逆方向に回転させることで、ドラムの周側面からテープと共に紙幣を引き剥がし、これを上後搬送部２４に引き渡すようになっている。
【００３４】
リジェクト庫２６は、例えば損傷の程度が大きく出金すべきで無いと判断されたリジェクト紙幣を収納する部分であり、上後搬送部２４からリジェクト紙幣が搬送されてくると、このリジェクト紙幣を内部の収納空間へ放出して収納する。
【００３５】
［１−２−２．下部ユニットの構成］
図２の下部を拡大した図３（Ｂ）に示すように、下部ユニット１０Ｌの上端部分には、下搬送部２７が配置され、この下搬送部２７の下方には、下部フレーム２８が設けられている。下部フレーム２８は、上端が開放された中空の直方体状であり、内部に、再利用（リサイクル）可能な紙幣を収納する４つの紙幣収納庫２９（２９Ａ、２９Ｂ、２９Ｃ、２９Ｄ）が前後方向に並べて配置されている。
【００３６】
紙幣収納庫２９（２９Ａ〜２９Ｄ）は、何れも同様に構成されており、上下方向に長い直方体状となっている。各紙幣収納庫２９は、紙幣の収納及び繰り出しが可能で、紙幣収納時には、下搬送部２７により搬送されてきた紙幣を内部の収納空間に放出して集積する。また、各紙幣収納庫２９は、紙幣繰り出し時には、内部の収納空間に集積されている紙幣を上から１枚ずつに分離して上方へと搬送し、下搬送部２７に引き渡すようになっている。尚、各紙幣収納庫２９は、それぞれ収納すべき紙幣の金種が予め設定されている。
【００３７】
下搬送部２７は、４つの分岐箇所を有する搬送路７０と、４つの分岐箇所のそれぞれに設けられた、切替器７１、７２、７３、７４とを有している。搬送路７０は、上前搬送部２２、上後搬送部２４、及び紙幣収納庫２９Ａ、２９Ｂ、２９Ｃ、２９Ｄと接続されている。この下搬送部２７は、紙幣制御部２０の制御に従って４つの切替器７１、７２、７３、７４を動作させることで、搬送路７０をもとに形成される紙幣の搬送経路を、上前搬送部２２と紙幣収納庫２９Ａ〜２９Ｄのいずれかとを繋ぐ搬送経路、又は上前搬送部２２と上後搬送部２４とを繋ぐ搬送経路に切り替えるようになっている。そして、下搬送部２７は、切り替えた搬送経路に沿って搬送ローラにより紙幣を搬送するようになっている。
【００３８】
［１−３．入金取引時及び出金取引時の動作］
次に、紙幣入出金機１０における入金取引時及び出金取引時の動作について簡単に説明する。まず、入金取引時の動作から説明する。入金取引時、紙幣入出金機１０は、使用者に入金された紙幣の金種等を鑑別しながら枚数を計数する入金計数処理を行い、その後、各紙幣を適切な収納箇所へ搬送して収納する入金収納処理を行うようになっている。尚、この入金計数処理及び入金収納処理は、紙幣制御部２０が各部を制御して行う処理である。
【００３９】
具体的に、紙幣入出金機１０は、操作表示部６（図１）を介して使用者から入金取引を開始する旨の操作入力を受け付けると、入金計数処理を開始する。入金計数処理を開始すると、紙幣入出金機１０は、接客部２１のシャッタ３１（図３（Ａ））を開く。その後、紙幣入出金機１０は、使用者により収容器３０内へ紙幣が投入されると、接客部２１のシャッタ３１を閉じ、収容器３０内の紙幣を１枚ずつに分離して、上前搬送部２２を介して鑑別部２３へ搬送する。ここで、紙幣入出金機１０は、鑑別部２３の鑑別結果から正常紙幣として判別された紙幣については、鑑別部２３から上後搬送部２４を介して一時保留部２５へ搬送して収納する。一方で、鑑別部２３の鑑別結果から入金に適さない入金リジェクト紙幣として判別された紙幣については、鑑別部２３から上後搬送部２４を介して接客部２１の搬送路３３へ搬送し、搬送路３３上に退避させる。
【００４０】
そして収容器３０内に投入された紙幣を全て繰り出し終えると、紙幣入出金機１０は、搬送路３３上に退避させている紙幣（つまり入金リジェクト紙幣）を収容器３０に戻してシャッタ３１を開くことで使用者に返却する。一方で、搬送路３３上に退避させている紙幣が存在しない場合、紙幣入出金機１０は、入金計数処理を完了する。その後、紙幣入出金機１０は、接客部２１から取り込んだ紙幣の金種及び枚数の集計結果を基に入金額を算出すると共に、所定の操作指示画面を操作表示部６（図１）に表示させ、使用者に入金額を提示すると共に入金取引を継続するか否かを選択させる。
【００４１】
ここで、使用者により入金取引の中止が指示された場合、紙幣入出金機１０は、一時保留部２５に収納している全ての紙幣を、上後搬送部２４を介して接客部２１の収容器３０へ戻し、シャッタ３１（図３（Ａ）を開くことで使用者に返却する。一方で、使用者により入金取引の継続が指示された場合、紙幣入出金機１０は、入金収納処理を開始する。入金収納処理を開始すると、紙幣入出金機１０は、一時保留部２５に収納している紙幣（つまり正常紙幣）を順次繰り出し、上後搬送部２４を介して鑑別部２３へ搬送して金種を判別する。そして紙幣入出金機１０は、金種が判別された紙幣を、鑑別部２３から上前搬送部２２及び下搬送部２７を順次介して、その金種に対応する紙幣収納庫２９へ搬送して収納する。一時保留部２５に収納されている全ての紙幣を収納し終えると、紙幣入出金機１０は、この入金収納処理を終了する。紙幣入出金機１０における入金取引時の動作は、以上のようになっている。
【００４２】
次に、紙幣入出金機１０における出金取引時の動作について説明する。出金取引時、紙幣入出金機１０は、使用者に指定された金額に応じた金種及び枚数の紙幣を出金する出金処理を行うようになっている。尚、この出金処理も、紙幣制御部２０が各部を制御して行う処理である。
【００４３】
具体的に、紙幣入出金機１０は、操作表示部６（図１）を介して使用者から出金取引を開始する旨及び出金額を指定する旨の操作入力を受け付けると、出金処理を開始する。出金処理を開始すると、紙幣入出金機１０は、出金額に応じた紙幣の金種及び枚数を決定する。そして、紙幣入出金機１０は、決定した金種及び枚数に応じて、各紙幣収納庫２９から紙幣を１枚ずつ繰り出し、下搬送部２７及び上前搬送部２２を順次介して鑑別部２３へ搬送する。
【００４４】
ここで、紙幣入出金機１０は、鑑別部２３の鑑別結果から正常紙幣として判別された紙幣については、鑑別部２３から上後搬送部２４を介して接客部２１へ搬送して収容器３０内に集積する。一方で、鑑別部２３の鑑別結果から出金に適さない出金リジェクト紙幣として判別された紙幣については、鑑別部２３から上後搬送部２４を介してリジェクト庫２６へ搬送して収納する。そして、紙幣入出金機１０は、出金額分の紙幣が収容器３０内に集積されると、接客部２１のシャッタ３１を開くことで、収容器３０内に集積された紙幣を使用者に取り出させる。紙幣入出金機１０における出金取引時の動作は、以上のようになっている。
【００４５】
［１−４．一時保留部の構成］
次に、図４を用いて、紙幣入出金機１０の一時保留部２５の構成についてさらに詳しく説明する。尚、図４は、一時保留部２５の側面図であり、内部構成を分かり易くするために一部を省略したり簡略化したりした模式図となっている。
【００４６】
この図４に示すように、一時保留部２５は、略箱型のフレーム８０の内部に各部品が取り付けられた構成となっている。フレーム８０の内部には、その中央付近に、左右方向に延びる回転軸８１Ｘを中心に回転する円筒状のドラム８１が設けられている。ドラム８１は、フレーム８０内部の上側後端に設けられたドラムモータ８２Ａからの駆動力が図示しない駆動系によって伝達されることで、図中矢印Ｒ１で示す時計回り方向及び図中矢印Ｒ２で示す反時計回り方向に回転可能となっている。尚、フレーム８０内部の上側後端には、ドラムモータ８２Ａとは別に、搬送モータ８２Ｂも設けられている。
【００４７】
ドラム８１は、その周側面８１Ｓにテープ８３（後述する主テープ１１２及び補助テープ１２２）とともに紙幣が巻き付けられると、図４の一部を省略した図５に示すように、巻き付けられたテープ８３及び紙幣によってドラム８１の外周に巻付層８１Ｗが形成される。このとき、ドラム８１は、巻付層８１Ｗの厚さの分、見かけ上の径が大きくなる。以下、この見かけ上の径をドラム径とする。また、ドラム８１の外周に巻付層８１Ｗが形成されている場合には、巻付層８１Ｗの最外周をドラム８１の周側面８１Ｓとする。つまり、ドラム８１に紙幣が巻き付けられていくと、ドラム径が大きくなっていくとともに周側面８１Ｓがドラム８１の回転軸８１Ｘから離れていくようになっている。
【００４８】
さらに図４に示すように、ドラム８１の周囲には、紙幣を案内するガイドとして、下側固定ガイド８４、下側可動ガイド８５、上側ガイド８６及びオープンガイド８７が設けられている。
【００４９】
下側固定ガイド８４は、ドラム８１の前方斜め下に位置していて、フレーム８０に固定されている。この下側固定ガイド８４は、その上面が平坦でほぼ水平な下側ガイド面となっている。またこの下側固定ガイド８４の前側には、紙幣を搬送するための搬送ローラ９０が設けられている。この搬送ローラ９０は、一部が下側固定ガイド８４の下側ガイド面より上方に突出していて、搬送モータ８２Ｂからの駆動力が図示しない駆動系によって伝達されることで、図中時計回り方向及び図中反時計回り方向に回転可能となっている。
【００５０】
下側可動ガイド８５は、下側固定ガイド８４の後方且つドラム８１の下方に位置している。この下側可動ガイド８５は、前部の上面が下側固定ガイド８４の下側ガイド面を延長したような平坦な下側ガイド面となっていて、前部につづく後部の上面がドラム８１の周側面８１Ｓに沿うように湾曲した下側ガイド面となっている。
【００５１】
この下側可動ガイド８５の前部前側には、紙幣を搬送するための搬送ローラ９１が設けられ、前部後側には、テープ８３を走行させるためのテープローラ９２が設けられている。また、この下側可動ガイド８５の後部には、ドラム８１の周側面８１Ｓと当接するドラム当接ローラ９３が設けられている。これら搬送ローラ９１、テープローラ９２、及びドラム当接ローラ９３は、それぞれ一部が下側可動ガイド８５の下側ガイド面より上方に突出している。これら搬送ローラ９１、テープローラ９２、及びドラム当接ローラ９３は、図中時計回り方向及び図中反時計回り方向に回転可能であり、さらに搬送ローラ９１は、搬送モータ８２Ｂからの駆動力が図示しない駆動系によって伝達されるようになっている。
【００５２】
さらに下側可動ガイド８５は、その前端部が、下側固定ガイド８４の後端部によって左右方向に延びる回転軸を介して回動可能に支持されていて、図示しないスプリングなどにより、ドラム８１の周側面８１Ｓに押し付けられる方向（図中時計回り方向）に付勢されている。これにより、下側可動ガイド８５は、ドラム径の変化に追従するように回動して、常にドラム当接ローラ９３をドラム８１の周側面８１Ｓに当接させるようになっている。
【００５３】
上側ガイド８６は、下側固定ガイド８４の上方に位置している。この上側ガイド８６は、下側に位置する紙幣案内部９４と、後側に位置する巻付紙幣案内部９５と、左右両側に位置する側板部９６とで構成されている。紙幣案内部９４は、その下面が平坦でほぼ水平な上側ガイド面となっている。上側ガイド８６は、紙幣案内部９４の上側ガイド面が、下側固定ガイド８４の下側ガイド面との間に数ｍｍ程度の隙間が空くように配置され、この隙間によって紙幣の搬送路２５Ｙを形成するようになっている。尚、一時保留部２５は、上側ガイド８６の前端部と下側固定ガイド８４の前端部とによって、フレーム８０の前面側に紙幣の受渡口２５Ｄを形成するようになっていて、この受渡口２５Ｄを介して、上後搬送部２４の搬送路６０（図３（Ａ））と接続されるようになっている。そして、一時保留部２５は、上後搬送部２４の搬送路６０に沿って搬送されてくる紙幣を、受渡口２５Ｄから一時保留部２５の内部に取り込んだり、内部に取り込んだ紙幣を受渡口２５Ｄから上後搬送部２４の搬送路６０へと繰り出したりするようになっている。
【００５４】
またこの紙幣案内部９４には、下側固定ガイド８４の搬送ローラ９０と対向する位置に搬送ローラ９７が設けられ、下側可動ガイド８５の搬送ローラ９１と対向する位置に搬送ローラ９８が設けられている。搬送ローラ９７、９８は、それぞれ一部が上側ガイド８６の上側ガイド面より下方に突出していて、それぞれの下方に位置する搬送ローラ９０、９１に押し当てられることで、搬送ローラ９０、９１と連れ回るようになっている。これら搬送ローラ９０と搬送ローラ９７、及び搬送ローラ９１と搬送ローラ９８は、紙幣を間に挟んだ状態で回転することにより、紙幣を搬送路２５Ｙに沿って搬送するようになっている。
【００５５】
巻付紙幣案内部９５は、その後面がドラム８１の周側面８１Ｓに沿うように湾曲した巻付ガイド面となっている。この巻付ガイド面は、ドラム８１に巻き付けられた紙幣をドラム８１の周側面８１Ｓに沿って案内するガイド面である。また巻付紙幣案内部９５の下端には、テープ８３を走行させるためのテープローラ９９が設けられている。
【００５６】
側板部９６は、紙幣案内部９４及び巻付紙幣案内部９５の左右両端に位置していて、これら紙幣案内部９４及び巻付紙幣案内部９５より上方に長く形成されている。また側板部９６の上端部には、側板部９６の後端側から前方斜め下に向かって延びる連動孔９６Ｈが形成されている。
【００５７】
さらに側板部９６は、その後端からドラム８１の回転軸８１Ｘに向かって延びる薄板状の支持腕部１００を有している。支持腕部１００は、その先端部が、回転軸８１Ｘによって回動可能に支持されていて、回転軸８１Ｘを中心に上側ガイド８６全体を図中時計回り方向及び反時計回り方向に回転できるようになっている。つまり、上側ガイド８６は、回転軸８１Ｘを中心に図中時計回り方向及び反時計回り方向に回転できるようになっている。
【００５８】
オープンガイド８７は、全体としてドラム８１の半分を覆う大きさの半円筒状であり、ドラム８１の上半分を覆うように配置されている。このオープンガイド８７は、ドラム８１の周側面８１Ｓと対向する内周面が、上側ガイド８６の巻付ガイド面を延長したような湾曲した巻付ガイド面となっている。このオープンガイド８７は、その後端部がフレーム８０によって左右方向に延びる回転軸を介して回動可能に支持されている。これによりオープンガイド８７は、後端部を中心に、図中時計回り方向及び反時計回り方向に回転できるようになっている。
【００５９】
また、このオープンガイド８７は、左右両側面の前端に、円柱状の連動軸８７Ｘが突設されていて、左右の連動軸８７Ｘが、上側ガイド８６の左右の側板部９６に設けられた連動孔９６Ｈに挿通されている。これにより、オープンガイド８７と上側ガイド８６は、互いに連動して回転するようになっている。
【００６０】
具体的にオープンガイド８７は、図４に示すように、ドラム８１の周側面８１Ｓに近接してドラム８１の上半分を覆う位置（これをクローズ位置と呼ぶ）と、図６に示すように、ドラム８１の周側面８１Ｓから離間してドラム８１の一部を開放する位置（これをオープン位置）との間で、回動可能となっている。
【００６１】
一方で、上側ガイド８６は、オープンガイド８７がクローズ位置にあるときには、図４に示すように、下側固定ガイド８４と近接して下側固定ガイド８４とともに搬送路２５Ｙを形成する位置（これをクローズ位置と呼ぶ）にあり、オープンガイド８７がオープン位置にあるときには、下側固定ガイド８４から離間する位置（これをオープン位置と呼ぶ）にある。つまり、オープンガイド８７がクローズ位置とオープン位置との間で回転することにともなって、上側ガイド８６もクローズ位置とオープン位置との間で回転するようになっている。
【００６２】
尚、上側ガイド８６は、図示しない係合機構によりクローズ位置に固定されるようになっていて、上側ガイド８６は、この係合機構による係合が解除されることで、オープンガイド８７とともにクローズ位置からオープン位置へ回転できる（つまり開くことができる）ようになっている。
【００６３】
さらに一時保留部２５のフレーム８０の内部には、図７に斜視図を示すように、左右方向のほぼ中央に１系統の主テープ走行系１１０が設けられ、その左右両側にそれぞれ補助テープ走行系１２０が設けられている。尚、図７は、ドラム８１、主テープ走行系１１０及び補助テープ走行系１２０以外の部分については省略するとともに一部を簡略化した模式図となっている。
【００６４】
主テープ走行系１１０は、ドラム８１の後方斜め下に配置されたリール１１１とドラム８１との間で、主テープ１１２を走行させるようになっている。リール１１１は、図４に示すように、円筒状の中心部１１１Ａと、中心部１１１Ａの軸方向の両端に位置していて中心部１１１Ａより大径でなる略円板状の側板部１１１Ｂとで構成され、中心軸を左右方向とする向きで設けられている。主テープ１１２は、その一端がリール１１１の中心部１１１Ａの周側面に固定されたうえで、リール１１１に巻回されている。一方、主テープ１１２の他端は、ドラム８１の周側面８１Ｓに固定されている。
【００６５】
またリール１１１は、ドラムモータ８２Ａから図示しない駆動系を介して駆動力が伝達されることにより主テープ１１２を巻き取る方向に回転するようになっている。またリール１１１は、主テープ１１２が引き出されると、これにともなって巻き取る方向とは逆方向に回転するようにもなっている。尚、ドラムモータ８２Ａの駆動力をドラム８１及びリール１１１へと伝達する駆動系は、ドラム８１の周速よりリール１１１の周速の方が速くなるように設計されている。そしてドラム８１とリール１１１の周速差を、リール１１１側に設けられたトルクリミッタ１１１Ｃで吸収するようになっている。これにより、一時保留部２５では、リール１１１に主テープ１１２を巻き取る際に、主テープ１１２に一定の張力が発生するようになっている。
【００６６】
主テープ１１２は、図７に示すように、リール１１１から前方斜め下へと引き出されて、ローラ１１３、ローラ１１４へと順に掛け渡された後、ローラ１１４により後方斜め上に折り返される。つづけて主テープ１１２は、テープローラ９２に掛け渡された後、ドラム８１の周側面８１Ｓへと進行する。さらに主テープ１１２は、周側面８１Ｓに沿ってドラム８１の周囲を約３／４周した地点で、周側面８１Ｓから一度引き離されて前方斜め下へ向かい、テープローラ９９により後方に折り返された後、再び周側面８１Ｓへと進行してドラム８１に巻き付けられる。
【００６７】
ここで、主テープ１１２は、ローラ１１４によりドラム８１側へ折り返された部分と、テープローラ９９によりドラム８１側へ折り返された部分とが、テープローラ９２とドラム８１の周側面８１Ｓとの間で上下に重なるようになっている。そして、主テープ１１２は、この上下に重なる部分で紙幣ＢＬを挟持して前後方向に搬送するようになっている。尚、この上下に重なる部分を、主テープ１１２の紙幣搬送部分１１２Ｔと呼ぶ。
【００６８】
一方、補助テープ走行系１２０は、ドラム８１の後方斜め下に配置されたリール１２１とドラム８１との間で、補助テープ１２２を走行させるようになっている。リール１２１は、リール１１１と同様、図４に示すように、中心部１２１Ａと、中心部１２１Ａの軸方向の両端に位置していて中心部１２１Ａより大径でなる略円板状の側板部１２１Ｂとで構成され、中心軸を左右方向とする向きで設けられている。補助テープ１２２は、その一端がリール１２１の中心部１２１Ａの周側面に固定されたうえで、リール１２１に巻回されている。一方、補助テープ１２２の他端は、ドラム８１の周側面８１Ｓに固定されている。
【００６９】
またリール１２１も、ドラムモータ８２Ａから図示しない駆動系を介して駆動力が伝達されることにより補助テープ１２２を巻き取る方向に回転するようになっている。またリール１２１は、補助テープ１２２が引き出されると、これにともなって巻き取る方向とは逆方向に回転するようにもなっている。尚、ドラムモータ８２Ａの駆動力をリール１２１へと伝達する駆動系も、ドラム８１の周速よりリール１２１の周速の方が速くなるように設計されていて、その周速差を、リール１２１側に設けられたトルクリミッタ１２１Ｃで吸収するようになっている。これにより、一時保留部２５では、リール１２１に補助テープ１２２を巻き取る際に、補助テープ１２２に一定の張力が発生するようになっている。
【００７０】
補助テープ１２２は、図７に示すように、リール１２１から前方斜め下へと引き出されて、ローラ１２３、ローラ１２４へと順に掛け渡された後、ローラ１２４により後方斜め上に折り返される。つづけて補助テープ１２２は、テープローラ９２に掛け渡された後、ドラム８１の周側面８１Ｓへと進行する。ここで補助テープ１２２は、主テープ１１２とは異なり、そのままドラム８１に巻き付けられる。
【００７１】
さらに図４に示すように、一時保留部２５のフレーム８０の内部には、受け渡しセンサ１３０、ジャム検知センサ１３１、ドラム残留センサ１３２、ガイド開閉センサ１３３、及びリール回転検知センサ１３４が設けられている。
【００７２】
受け渡しセンサ１３０は、例えば発光部の発光面と受光部の受光面を対向配置した構成となっている。この受け渡しセンサ１３０は、発光面から延びる光軸が搬送路２５Ｙを受渡口２５Ｄ近傍（例えば搬送ローラ９０と搬送ローラ９１との間）で上下方向に通過するように配置されている。よって、この受け渡しセンサ１３０は、受渡口２５Ｄ近傍の搬送路２５Ｙ上に紙幣が存在しなければ、発光部から発せられた光が受光部まで届くことで出力結果が「明」となり、受渡口２５Ｄ近傍の搬送路２５Ｙ上に紙幣が存在していれば、発光部から発せられた光が紙幣により遮られることで出力結果が「暗」となるように動作する。紙幣制御部２０は、この受け渡しセンサ１３０の出力結果をもとに、搬送路２５Ｙの受渡口２５Ｄ近傍に紙幣が存在するかどうかを判断するようになっている。
【００７３】
ジャム検知センサ１３１も、受け渡しセンサ１３０と同様、発光部と受光部とを有する構成であり、光軸が搬送路２５Ｙをドラム８１近傍で上下方向に通過するように配置されている。このジャム検知センサ１３１は、ドラム８１近傍の搬送路２５Ｙ上にジャム紙幣が存在しなければ、出力結果が「明」となり、ドラム８１近傍の搬送路２５Ｙ上にジャム紙幣が存在すれば、出力結果が「暗」となるように動作する。紙幣制御部２０は、このジャム検知センサ１３１の出力結果をもとに、搬送路２５Ｙのドラム８１近傍にジャム紙幣が存在するかどうかを判断するようになっている。
【００７４】
ドラム残留センサ１３２も、受け渡しセンサ１３０と同様、発光部と受光部とを有する構成となっている。ドラム８１は、主テープ１１２が巻き付けられる部分と補助テープ１２２が巻き付けられる部分との間の部分に、ドラム８１の周側面８１Ｓに沿って図示しない溝が設けられている。つまり、ドラム８１は、この溝の部分が、他の部分より径が小さくなっている。ドラム残留センサ１３２は、光軸がドラム８１の溝内を前後方向に通過するように配置されている。このドラム残留センサ１３２は、ドラム８１に巻き付けられている紙幣が存在しなければ、出力結果が「明」となり、ドラム８１に巻き付けられている紙幣が存在すれば、出力結果が「暗」となるように動作する。紙幣制御部２０は、このドラム残留センサ１３２の出力結果をもとに、ドラム８１に巻き付けられている紙幣が存在するかどうかを判断するようになっている。
【００７５】
ガイド開閉センサ１３３も、受け渡しセンサ１３０と同様、発光部と受光部とを有する構成となっている。上側ガイド８６は、上述したように、図示しない係合機構によりクローズ位置に固定されるようになっている。ガイド開閉センサ１３３は、上側ガイド８６がクローズ位置にあるときに、発光部から発せられた光が、係合機構に設けられたディテクタにより遮られる位置（例えば搬送ローラ９０と搬送ローラ９１との間）に配置されている。このガイド開閉センサ１３３は、上側ガイド８６がクローズ位置にあるときには、発光部から発せられた光が遮られることで出力結果が「暗」となり、上側ガイド８６がクローズ位置にないときには、発光部から発せられた光が受光部まで届くことで出力結果が「明」となるように動作する。紙幣制御部２０は、このガイド開閉センサ１３３の出力結果をもとに、上側ガイド８６及びオープンガイド８７がクローズ位置にあるかどうか（つまりクローズしているかどうか）を判断するようになっている。
【００７６】
リール回転検知センサ１３４も、受け渡しセンサ１３０と同様、発光部と受光部とを有する構成となっている。主テープ走行系１１０のリール１１１は、図４に示すように、例えば左右の側板部１１１Ｂのどちらか一方の外周部に、周方向に一定の間隔を空けて複数の切り欠き１４０が設けられている。リール回転検知センサ１３４は、発光部と受光部との間に、切り欠き１４０が設けられている側板部１１１Ｂの外周部が位置するように配置されている。このリール回転検知センサ１３４は、リール１１１が回転している間、発光部から発せられた光が、リール１１１の側板部１１１Ｂの外周部により遮られているときには出力結果が「暗」となり、発光部から発せられた光が側板部１１１Ｂの切り欠き１４０を通って受光部まで届いているときには出力結果が「明」となるように動作する。紙幣制御部２０は、このリール回転検知センサ１３４の出力結果をもとに、例えばリール１１１の回転速度（単位時間当たりの回転数）を算出する。
【００７７】
ところで、例えば、リール１１１に主テープ１１２を巻き取る際に、ジャム紙幣が抵抗になるなどして主テープ１１２に何らかの外力が加わると、トルクリミッタ１１１Ｃによって主テープ１１２にかかる張力が弱まり（もしくはなくなり）、主テープ１１２がたるんでしまう。このように、主テープ１１２にたるみが発生すると、リール１１１の回転速度が規定値より遅くなったりリール１１１が停止したりする。そこで、紙幣制御部２０は、算出したリール１１１の回転速度が規定値であるかどうかをもとに、主テープ１１２にたるみが発生しているかどうかを判断するようになっている。一時保留部２５の構成は、以上のようになっている。
【００７８】
ここで、このような構成の一時保留部２５の動作について簡単に説明する。尚、この動作は、上側ガイド８６及びオープンガイド８７がクローズしている状態で、紙幣制御部２０の制御に基づいて行われる動作である。一時保留部２５は、紙幣を収納する場合、ドラム８１を図４に矢印Ｒ１で示す図中時計回り方向へ回転させることにより主テープ１１２（図７）及び補助テープ１２２（図７）を走行させる。またこのとき一時保留部２５は、搬送ローラ９０、９１を図４中反時計回り方向へ回転させる。これにより、一時保留部２５は、上後搬送部２４から受渡口２５Ｄへと搬送されてきた紙幣を、搬送路２５Ｙに沿って後方（つまりドラム８１側）へと搬送する。
【００７９】
後方へと搬送された紙幣は、図７に示すように主テープ１１２の紙幣搬送部分１１２Ｔにより長手方向の中央部分を挟持され、そのまま主テープ１１２とともにドラム８１の周側面８１Ｓに巻き付けられる。このとき、一時保留部２５は、左右の補助テープ１２２により紙幣の長手方向の両側部分をドラム８１の周側面８１Ｓに押さえ付けながら、主テープ１１２及び紙幣とともにこの補助テープ１２２もドラム８１の周側面８１Ｓに巻き付けていく。このように、一時保留部２５は、主テープ１１２及び補助テープ１２２とともに紙幣をドラム８１の周側面８１Ｓに巻き付けて収納する。
【００８０】
一方、収納した紙幣（つまりドラム８１に巻き付けた紙幣）を繰り出す場合、一時保留部２５は、リール１１１、１２１を図４中反時計回り方向へ回転させるとともにドラム８１も図４に矢印Ｒ２で示す図中反時計回り方向へ回転させることにより、主テープ１１２（図７）及び補助テープ１２２（図７）を収納時とは逆方向へ走行させる。またこのとき、一時保留部２５は、搬送ローラ９０、９１を図４中時計回り方向へ回転させる。これにより、一時保留部２５は、図７に示すようにドラム８１の周側面８１Ｓに巻き付けられている紙幣を、主テープ１１２の紙幣搬送部分１１２Ｔにより挟持したまま周側面８１Ｓから引き剥がした後、搬送路２５Ｙ（図４）に沿って前方（つまり受渡口２５Ｄ側）へと搬送する。そして、この紙幣は、受渡口２５Ｄ近傍の搬送ローラ９０、９７により、受渡口２５Ｄから一時保留部２５の外部に位置する上後搬送部２４へと引き渡される。このように、一時保留部２５は、ドラム８１の周側面８１Ｓに巻き付けられている紙幣を周側面８１Ｓから引き剥がして、受渡口２５Ｄから繰り出す。
【００８１】
［１−５．一時保留部のスライド機構］
さらに、紙幣入出金機１０は、一時保留部２５を図３（Ａ）に示す位置（この位置をクローズ位置と呼ぶ）から後方にスライドさせることが可能となっていて、一時保留部２５を後方にスライドさせて一時保留部２５の受渡口２５Ｄを上後搬送部２４の搬送路６０から離間できるようになっている。ここで、図８及び図９を用いて、一時保留部２５のスライド機構について説明する。尚、図８（Ａ）は、一時保留部２５がクローズ位置にあるときの（つまりクローズしている）上部ユニット１０Ｕの後面図であり、図８（Ｂ）は、一時保留部２５がクローズ位置にあるときの上部ユニット１０Ｕ後部の側面図である。図９（Ａ）、（Ｂ）は、上部ユニット１０Ｕ後部の側面図であり、一時保留部２５がクローズ位置からスライドしていく様子を示している。これら図８、図９は、それぞれ一部を省略したり簡略化したりした模式図となっている。
【００８２】
図８（Ａ）、（Ｂ）に示すように、クローズ位置にある一時保留部２５は、フレーム８０の前面が上後搬送部２４と対向し、フレーム８０の底面がリジェクト庫２６と対向し、フレーム８０の左側面と右側面が、上部ユニット１０Ｕの左側面フレーム１５０Ｌと右側面フレーム１５０Ｒ（図８（Ｂ）では省略）とで覆われ、フレーム８０の上面と後面が露出した状態となる。このとき、一時保留部２５の受渡口２５Ｄは、上後搬送部２４の搬送路６０と通じる受渡口２４Ｄと連結される。これにより、クローズ位置にある一時保留部２５は、保留部内搬送路としての搬送路２５Ｙと保留部外搬送路としての搬送路６０とが接続されて、搬送路２５Ｙと搬送路６０との間で紙幣の搬送が可能な接続状態となっている。
【００８３】
一時保留部２５のフレーム８０には、図８（Ａ）に示すように、フレーム８０の底面を覆う底板部１６０Ｂと、フレーム８０の左右両側面の下部を覆う左右の側板部１６０Ｌ、１６０Ｒとで構成された、断面コの字型の板金フレーム１６０が固定されている。この板金フレーム１６０は、前後方向の長さがフレーム８０より長く、前端がフレーム８０の前面より前方に突出している。さらに、板金フレーム１６０は、左右の側板部１６０Ｌ、１６０Ｒのそれぞれの前端部に、前端部の外側面から外側に突出する円柱状のスライド軸１６０Ｓが突設されている。さらに左右の側板部１６０Ｌ、１６０Ｒは、それぞれ前後方向のほぼ中央に上方に突出する突出部が設けられていて、この突出部に、突出部の外側面から外側に突出する円柱状の回転軸１６０Ｘが突設されている。
【００８４】
上部ユニット１０Ｕには、一時保留部２５がクローズ位置にあるときの左側の側板部１６０Ｌと左側面フレーム１５０Ｌとの間、及び右側の側板部１６０Ｒと右側面フレーム１５０Ｒとの間に、前後方向の長さが側板部１６０Ｌ、１６０Ｒと同程度の支持板部１５１Ｌ、１５１Ｒが設けられている。左右の支持板部１５１Ｌ、１５１Ｒは、それぞれ前後方向に延びるスライド孔１５１Ｈが形成されていて、このスライド孔１５１Ｈに、一時保留部２５の側板部１６０Ｌ、１６０Ｒに設けられたスライド軸１６０Ｓが挿通されている。これにより、支持板部１５１Ｌ、１５１Ｒは、一時保留部２５を前後方向にスライド可能に支持する。
【００８５】
また上部ユニット１０Ｕには、左側面フレーム１５０Ｌと右側面フレーム１５０Ｒのそれぞれの後部下端の内側面に、内側に突出する円柱状の回転軸１５０Ｘが突設されている。さらに上部ユニット１０Ｕには、左側面フレーム１５０Ｌと右側面フレーム１５０Ｒのそれぞれの回転軸１５０Ｘを中心に図８（Ｂ）に矢印Ｒ３で示す反時計回り方向及びその逆方向である時計回り方向に回転可能な支持腕部１５２Ｌ、１５２Ｒが設けられている。これら左右の支持腕部１５２Ｌ、１５２Ｒは、左側面フレーム１５０Ｌ、右側面フレーム１５０Ｒの回転軸１５０Ｘから、一時保留部２５の左右の側板部１６０Ｌ、１６０Ｒの回転軸１６０Ｘまで延びていて、回転軸１６０Ｘと回転可能に連結されている。これにより、支持腕部１５２Ｌ、１５２Ｒは、回転軸１５０Ｘを中心に、一時保留部２５を図８（Ｂ）中反時計回り方向及び時計回り方向に回転可能に支持する。
【００８６】
このように、一時保留部２５は、前端側に位置するスライド軸１６０Ｓを介して、支持板部１５１Ｌ、１５１Ｒにより前後方向にスライド可能に支持されているとともに、スライド軸１６０Ｓより後方に位置する回転軸１６０Ｘを介して、支持腕部１５２Ｌ、１５２Ｒにより図８（Ｂ）中反時計回り方向及び時計回り方向に回転可能に支持されている。一時保留部２５のスライド機構は、以上のようになっている。
【００８７】
上部ユニット１０Ｕは、このようなスライド機構により、一時保留部２５をクローズ位置から後方へと回転させながら引き出すことができ、また引き出した一時保留部２５を、前方へと押し込んでクローズ位置へ戻すことができるようになっている。尚、一時保留部２５は、常に露出するフレーム８０の一面（例えば上面）に、図示しない窪み又は取手が設けられていて、この窪み又は取手に手をかけることで、容易に引き出したり押し込んだりすることができるようになっている。
【００８８】
具体的に、一時保留部２５は、クローズしている状態で、例えば作業員により後方に引っ張られると、図９（Ａ）、（Ｂ）に示すように、回転軸１６０Ｘの移動軌跡が回転軸１５０Ｘを中心とする円弧状となり、スライド軸１６０Ｓの移動軌跡がスライド孔１５１Ｈに沿った直線状となるように後方へと回転しながら引き出され、一時保留部２５の受渡口２５Ｄが、上後搬送部２４の受渡口２４Ｄから離れていく。このとき、一時保留部２５は、回転軸１６０Ｘとスライド軸１６０Ｓとの位置関係から、途中までは、前端側が後端側より下方に位置するように傾きながら引き出され、その後、後端側が前端側より下方に位置するように傾きながら引き出されていく。
【００８９】
一時保留部２５は、図９（Ｂ）に示すように、最後まで引き出されると、このとき、リジェクト庫２６の上部を開放するようになっている。このときの一時保留部２５の位置をフルオープン位置と呼ぶ。上部ユニット１０Ｕでは、一時保留部２５をこのフルオープン位置まで引き出すことで、リジェクト庫２６を上方に持ち上げて上部ユニット１０Ｕから取り出すことができるようになっている。作業員は、このようにして上部ユニット１０Ｕからリジェクト庫２６を取り出した後、リジェクト庫２６に設けられた図示しない扉を開けて内部に収納されている紙幣を取り出す。
【００９０】
また、図９（Ａ）に示すように、クローズ位置とフルオープン位置との間で、且つ一時保留部２５の受渡口２５Ｄと上後搬送部２４の受渡口２４Ｄとの間隔Ｄが、少なくとも紙幣の短辺より長い所定長であるときの一時保留部２５の位置を、ハーフオープン位置と呼ぶ。このとき、一時保留部２５は、一時保留部２５の受渡口２５Ｄと上後搬送部２４の受渡口２４Ｄとの連結が解除されて搬送路２５Ｙと搬送路６０とが切り離され、搬送路２５Ｙと搬送路６０との間で紙幣の搬送が不可能な非接続状態となっている。つまり、一時保留部２５は、クローズ位置からハーフオープン位置まで引き出されることにより、搬送路２５Ｙと搬送路６０との間で紙幣の搬送が可能な接続状態から、搬送路２５Ｙと搬送路６０との間で紙幣の搬送が可能な非接続状態へと遷移したことになる。
【００９１】
支持板部１５１Ｌ、１５１Ｒに形成されたスライド孔１５１Ｈは、一時保留部２５がハーフオープン位置にあるときのスライド軸１６０Ｓの位置と対応する箇所に、上方に凹んだ退避部１５１Ｅ（図９（Ｂ））が設けられている。一時保留部２５は、ハーフオープン位置まで後方に引き出されると、もしくはハーフオープン位置まで前方に押し込まれると、重心が後端側に位置していることから回転軸１６０Ｘを中心に図９（Ａ）中反時計回り方向にわずかに回転してスライド軸１６０Ｓがスライド孔１５１Ｈの退避部１５１Ｅに入り込み、ハーフオープン位置で保持される。尚、このとき、一時保留部２５は、前端側が後端側より下方に位置するように傾いた状態で保持される。その後、例えば、さらに強く後方に引っ張られると、一時保留部２５は、スライド軸１６０Ｓが退避部１５１Ｅから外れて、後方へスライドするようになっている。
【００９２】
また、一時保留部２５がハーフオープン位置まで引き出されると、図９（Ａ）にくわえて図１０に示すように、上部ユニット１０Ｕには、一時保留部２５の前方斜め下に、一時保留部２５の受渡口２５Ｄから排出される紙幣ＢＬを上下方向に重ねて収納可能な収納スペースＳｐが確保される。この収納スペースＳｐは、上部ユニット１０Ｕの左側面フレーム１５０Ｌ及び右側面フレーム１５０Ｒと、上後搬送部２４の搬送路６０を形成する搬送ガイド１７０によって形成される空間であり、左側及び右側が左側面フレーム１５０Ｌ及び右側面フレーム１５０Ｒにより覆われ、前側、上側の前部、及び下側が搬送ガイド１７０により覆われ、上側の後部と後側が開放された空間となっている。尚、この収納スペースＳｐに一時保留部２５から排出した紙幣を収納する動作については後述する。
【００９３】
ちなみに、図８乃至図１０では省略しているが、上後搬送部２４の搬送路６０上には、搬送ガイド１７０にくわえて搬送ローラ（図３（Ａ）参照）も設けられている。収納スペースＳｐ内に位置する搬送ローラについては、収納スペースＳｐ内に収納された紙幣を作業員が取り出すときに邪魔にならないよう、シャフトとともにカバーなどで覆われるようになっている。また、紙幣入出金機１０は、一時保留部２５がハーフオープン位置にあるときでも、紙幣制御部２０の制御により一時保留部２５を動作させることができるようになっている。
【００９４】
さらに、一時保留部２５のフレーム８０には、一時保留部２５に収納されている紙幣を自動的に受渡口２５Ｄから排出させるための自動排出ボタン１６１が設けられている。この自動排出ボタン１６１は、図９（Ａ）に示すように、少なくとも一時保留部２５がハーフオープン位置にあるときに外部に露出する位置（例えばフレーム８０の上面）に設けられている。この自動排出ボタン１６１は、押下によりオンとオフが切り替わる構成となっていて、例えば、押下している間だけオンするもの、もしくは押下するたびにオンとオフが切り替わるものとなっている。一時保留部２５は、この自動排出ボタン１６１が押下（つまりオン）されると、後述する所定の条件を満たす場合にのみ、図１０に示すように、収納している紙幣（つまりドラム８１に巻き付けられている紙幣）を受渡口２５Ｄから外部に排出するようになっている。
【００９５】
さらに、図１１（Ａ）〜（Ｃ）に示すように、一時保留部２５の一側面（フレーム８０の左右両側面のうちの一方、又は側板部１６０Ｌ、１６０Ｒのうちの一方の外側面）には、ハーフオープン検知センサ１６２が設けられている。尚、図１１（Ａ）〜（Ｃ）は、ハーフオープン検知センサ１６２とその周辺部分を拡大した側面図であり、一部を省略したり簡略化したりした模式図となっている。また、図１１（Ａ）は一時保留部２５がクローズ位置にあるとき、図１１（Ｂ）はハーフオープン位置にあるとき、図１１（Ｃ）はフルオープン位置にあるときを示している。このハーフオープン検知センサ１６２は、例えば発光部の発光面と受光部の受光面を対向配置した構成となっている。
【００９６】
また、上部ユニット１０Ｕには、一時保留部２５の一側面と対向する部分（左側面フレーム１５０Ｌ及び右側面フレーム１５０Ｒのうちの一方の内側面、又は左右の支持板部１５１Ｌ、１５１Ｒのうちの一方の内側面、もしくは左右の支持腕部１５２Ｌ、１５２Ｒのうちの一方の内側面）に、ハーフオープン検知センサ１６２の発光部と受光部との間を通るようにしてハーフオープン検知センサ１６２の移動軌跡に沿って延びるディテクタ１５３が設けられている。このディテクタ１５３は、一時保留部２５がハーフオープン位置にあるときのハーフオープン検知センサ１６２の光軸の位置と対応する箇所に切り欠き１５３Ｈが設けられている。尚、ハーフオープン検知センサ１６２及びディテクタ１５３については、図８乃至図１０では省略している。
【００９７】
ハーフオープン検知センサ１６２は、図１１（Ａ）〜（Ｃ）に示すように、一時保留部２５がハーフオープン位置以外の位置にあるときには、発光部から発せられた光が、ディテクタ１５３により遮られることで出力結果が「暗」となり、ハーフオープン位置にあるときには、発光部から発せられた光が切り欠き１５３Ｈを通って受光部まで届くことで出力結果が「明」となるように動作する。紙幣制御部２０は、このハーフオープン検知センサ１６２の出力結果をもとに、一時保留部２５がハーフオープン位置にあるかどうか（つまりハーフオープンしているかどうか）を判断する。
【００９８】
［１−６．自動排出処理］
次に、ハーフオープン位置にある一時保留部２５から紙幣を自動的に排出して、一時保留部２５の前方斜め下に確保された収納スペースＳｐに収納する自動排出処理の手順について説明する。この自動排出処理は、例えば、紙幣入出金機１０の一時保留部２５以外の部分に異常が発生するなどして、一時保留部２５に収納されている紙幣を接客部２１や紙幣収納庫２９などに搬送することができなくなり、一時保留部２５に残留している紙幣を除去する必要が生じた場合に実行される処理である。まず、この自動排出処理を行う前に作業員が行う作業の手順について図１２に示すフローチャートを用いて説明する。
【００９９】
作業員は、まずステップＳＰ１において、作業を行い易くするために、紙幣入出金機１０の上部ユニット１０Ｕを、紙幣入出金機フレーム１０Ｆから引き出す。つづくステップＳＰ２において、作業員は、クローズ位置にある一時保留部２５を、ハーフオープン位置まで引き出す。つづくステップＳＰ３において、作業員は、一時保留部２５の上側ガイド８６及びオープンガイド８７を開く。つづくステップＳＰ４において、作業員は、一時保留部２５内にドラム８１には巻き付けられていない紙幣（これを受け渡し残留紙幣と呼ぶ）が有るかどうかを確認する。
【０１００】
ここで、受け渡し残留紙幣が有る場合、作業員は、ステップＳＰ４からステップＳＰ５へと移って受け渡し残留紙幣を取り除き、つづくステップＳＰ６で上側ガイド８６及びオープンガイド８７を閉じる。これに対して、受け渡し残留紙幣が無い場合、作業員は、ステップＳＰ４からステップＳＰ６へと移って上側ガイド８６及びオープンガイド８７を閉じる。つづくステップＳＰ７において、作業員は、一時保留部２５に設けられた自動排出ボタン１６１を押下（オン）する。作業員が行う作業の手順は、以上のようになっている。
【０１０１】
次に、自動排出ボタン１６１が押下（オン）されたことに応じて紙幣制御部２０が実行する自動排出処理の手順について図１３に示すフローチャートを用いて説明する。紙幣制御部２０は、自動排出ボタン１６１が押下（オン）されたことを認識すると自動排出処理を開始し、ステップＳＰ１０において、ジャム検知センサ１３１、ガイド開閉センサ１３３、及びハーフオープン検知センサ１６２の現在の出力結果をチェックするとともに、前回一時保留部２５を動作させたときに得られたリール回転検知センサ１３４の前回の出力結果をチェックする。尚、リール回転検知センサ１３４のみ、前回の出力結果を利用する理由は、この時点ではまだリール１１１を回転させていないためである。また、リール回転検知センサ１３４の前回の出力結果は、例えば、紙幣制御部２０の記憶部に記憶されている。
【０１０２】
つづくステップ１１において、紙幣制御部２０は、各センサの出力結果をもとに、一時保留部２５の現在の状態が、紙幣を収納スペースＳｐに自動排出することが可能な正常な状態であるかどうかを判断する。具体的に、紙幣制御部２０は、一時保留部２５の現在の状態が、以下に示す４つの条件全てを満たしているかどうかで、紙幣を収納スペースＳｐに自動排出することが可能な正常な状態であるかどうかを判断するようになっている。
【０１０３】
第１の条件は、一時保留部２５内の搬送路２５Ｙ上にジャム紙幣が存在しないことである。この理由は、搬送路２５Ｙ上にジャム紙幣が存在していると、ドラム８１から引き剥がした紙幣が、このジャム紙幣とともに搬送路２５Ｙ内に詰まってしまい、受渡口２５Ｄまで搬送できなくなるためである。第２の条件は、一時保留部２５内に搬送路２５Ｙが形成されていること、つまり上側ガイド８６及びオープンガイド８７がクローズ位置にあることである。この理由は、搬送路２５Ｙが形成されていないと、ドラム８１から引き剥がした紙幣を受渡口２５Ｄまで搬送できなくなるためである。
【０１０４】
第３の条件は、一時保留部２５内で主テープ１１２にたるみが発生していないことである。この理由は、主テープ１１２にたるみが発生していると、リール１１１に主テープ１１２を巻き取る際に、主テープ１１２が補助テープ１２２や紙幣とからまるなどしてテープジャムが発生してしまい、ドラム８１から紙幣を引き剥がすことができなくなるためである。第４の条件は、一時保留部２５がハーフオープン位置にあることである。この理由は、一時保留部２５がハーフオープン位置にないと、一時保留部２５の前方斜め下（つまり受渡口２５Ｄから紙幣を排出する方向）に確保される収納スペースＳｐに、一時保留部２５から排出される紙幣を収納することができないためである。
【０１０５】
つまり、第１乃至第３の条件は、一時保留部２５がドラム８１に巻き付けられている紙幣を受渡口２５Ｄまで搬送して正常に排出できるかどうかを判断するための条件であり、第４の条件は、受渡口２５Ｄから排出した紙幣を収納スペースＳｐに収納できるかどうかを判断するための条件である。
【０１０６】
また、第１の条件は、受け渡しセンサ１３０とジャム検知センサ１３１の現在の出力結果から判断することができる。つまり、紙幣制御部２０は、受け渡しセンサ１３０とジャム検知センサ１３１の出力結果の少なくとも一方が一定時間「暗」であり続ければ、一時保留部２５の現在の状態が第１の条件を満たしていないと判断し、それ以外の場合には第１の条件を満たしていると判断する。第２の条件は、ガイド開閉センサ１３３の現在の出力結果から判断することができる。つまり、紙幣制御部２０は、ガイド開閉センサ１３３の出力結果が「暗」であれば、一時保留部２５の現在の状態が第２の条件を満たしていると判断する。
【０１０７】
また、第３の条件は、リール回転検知センサ１３４の前回の出力結果から判断することができる。つまり、紙幣制御部２０は、リール回転検知センサ１３４の前回の出力結果から算出したリール１１１の回転速度が規定値であれば、一時保留部２５の現在の状態が第３の条件を満たしていると判断する。第４の条件は、ハーフオープン検知センサ１６２の現在の出力結果から判断することができる。つまり、紙幣制御部２０は、ハーフオープン検知センサ１６２の出力結果が一定時間「明」であり続ければ、一時保留部２５の現在の状態が第４の条件を満たしていると判断する。
【０１０８】
紙幣制御部２０は、上述した４つの条件のうち、１つでも満たしていない条件があれば、一時保留部２５の現在の状態が、紙幣を収納スペースＳｐに自動排出することが可能な正常な状態ではないと判断して、上述のステップＳＰ１１で否定結果を得て、ステップＳＰ１２に移る。
【０１０９】
ステップＳＰ１２において、紙幣制御部２０は、作業員による自動排出ボタン１６１の押下（オン）を無効にして自動排出は行わずに、現金自動預払機１の主制御部９を介して表示部としての操作表示部６（図１）にエラー画面を表示させ、自動排出処理を終了する。このように、一時保留部２５では、上述した４つの条件を全て満たしていないと、作業員が自動排出ボタン１６１を押下（オン）しても、紙幣を自動排出しないようになっている。
【０１１０】
ここで、操作表示部６に表示されるエラー画面の例を、図１４（Ａ）〜（Ｄ）に示す。図１４（Ａ）に示すエラー画面ＳＣ１は、第１の条件を満たしていない場合に操作表示部６に表示される画面である。このエラー画面ＳＣ１には、一時保留部２５内にジャム紙幣が検出されたために紙幣を自動排出できない旨を通知するとともにジャム紙幣を取り除くよう促す文章ＴＸ１が表示される。また、図１４（Ｂ）に示すエラー画面ＳＣ２は、第２の条件を満たしていない場合に操作表示部６に表示される画面である。このエラー画面ＳＣ２には、一時保留部２５のオープンガイド８７が閉じていないために紙幣を自動排出できない旨を通知するとともにオープンガイド８７を閉じるよう促す文章ＴＸ２が表示される。
【０１１１】
さらに、図１４（Ｃ）に示すエラー画面ＳＣ３は、第３の条件を満たしていない場合に操作表示部６に表示される画面である。このエラー画面ＳＣ３には、一時保留部２５内で主テープ１１２のたるみが検出されたために紙幣を自動排出できない旨を通知するとともに主テープ１１２のたるみを解消するよう促す文章ＴＸ３が表示される。さらに、図１４（Ｄ）に示すエラー画面ＳＣ４は、第４の条件を満たしていない場合に操作表示部６に表示される画面である。このエラー画面ＳＣ４には、一時保留部２５の位置がハーフオープン位置ではないために紙幣を自動排出できない旨を通知するとともに一時保留部２５をハーフオープン位置に移動させるよう促す文章ＴＸ４が表示される。
【０１１２】
このようなエラー画面ＳＣ１〜ＳＣ４を操作表示部６に表示させることで、紙幣制御部２０は、紙幣の自動排出を行うことができない原因と、その解決策とを作業員に確認させることができる。尚、上述した４つの条件のうち、満たしていない条件が複数ある場合には、例えば、上述した文章ＴＸ１〜ＴＸ４のうちの複数の文章が表示されたエラー画面を、操作表示部６に表示させるようにしてもよい。
【０１１３】
一方、紙幣制御部２０は、一時保留部２５の現在の状態が、上述した４つの条件全てを満たしている場合、一時保留部２５の現在の状態が、紙幣を収納スペースＳｐに自動排出することが可能な正常な状態であると判断して、図１３に示す上述のステップＳＰ１１で肯定結果を得て、ステップＳＰ１３に移る。ステップＳＰ１３において、紙幣制御部２０は、作業員による自動排出ボタン１６１の押下（オン）を有効として紙幣の自動排出を開始し、ステップＳＰ１４に移る。
【０１１４】
ステップＳＰ１４において、紙幣制御部２０は、まず搬送モータ８２Ｂの回転を開始させて搬送路２５Ｙ上の搬送ローラ９０、９１を、紙幣を排出する（つまり繰り出す）方向に回転させる。つづくステップＳＰ１５において、紙幣制御部２０は、ドラムモータ８２Ａの回転を開始させてドラム８１、リール１１１、１２１を、ドラム８１から紙幣を引き剥がす方向に回転させる。これにより、ドラム８１に巻き付けられていた紙幣は、ドラム８１から引きはがされ、搬送路２５Ｙに沿って受渡口２５Ｄへと搬送され、図１０に示すように、受渡口２５Ｄから排出される。
【０１１５】
このとき、一時保留部２５は、後端側より前端側が下方に位置するように傾いていることにより、受渡口２５Ｄから、前方斜め下に向かって紙幣を放出する。このようにして受渡口２５Ｄから放出された紙幣は、一時保留部２５の前方斜め下に確保されている収納スペースＳｐに集積されていく。ここで、収納スペースＳｐは、前側、下側、左側、右側がそれぞれ搬送ガイド１７０と左側面フレーム１５０Ｌ及び右側面フレーム１５０Ｒとによって覆われている。よって、収納スペースＳｐへと放出された紙幣は、収納スペースＳｐより前方に飛び出したりすることなく、収納スペースＳｐ内に上下方向に重なるようにして集積されていく。
【０１１６】
このようにして、紙幣の自動排出を開始すると、紙幣制御部２０は、図１３に示すステップＳＰ１６へ移り、ここで、ジャム検知センサ１３１、ガイド開閉センサ１３３、ハーフオープン検知センサ１６２、リール回転検知センサ１３４の現在の出力結果をチェックする。尚、ここで行う各センサの出力結果のチェックは、リール回転検知センサ１３４について過去の出力結果ではなく現在の出力結果をチェックする点を除いて、上述したステップＳＰ１０と同一の処理である。よって、詳しい説明は省略する。
【０１１７】
つづくステップＳＰ１７において、紙幣制御部２０は、各センサの出力結果をもとに一時保留部２５の現在の状態が紙幣を収納スペースＳｐに自動排出することが可能な正常な状態であるかどうかを判断するとともに、自動排出ボタン１６１がオンのままであるかどうかを判断する。尚、ここで行う一時保留部２５の現在の状態が正常な状態であるかどうかの判断は、上述したステップＳＰ１１と同一の処理である。よって、詳しい説明は省略する。つまり、紙幣制御部２０は、紙幣の自動排出を開始した後も、一時保留部２５の状態が、紙幣を収納スペースＳｐに自動排出することが可能な正常な状態であるか監視し続けるようになっている。
【０１１８】
ここで、紙幣制御部２０は、一時保留部２５の現在の状態が紙幣を収納スペースＳｐに自動排出することが可能な正常な状態ではない、もしくは自動排出ボタン１６１がオフされたと判断すると、ステップＳＰ１７で否定結果を得て、ステップＳＰ１８に移る。ステップＳＰ１８において、紙幣制御部２０は、ドラムモータ８２Ａと搬送モータ８２Ｂの回転を停止させることで紙幣の自動排出を中止する。つづくステップＳＰ１９において、紙幣制御部２０は、現金自動預払機１の主制御部９を介して操作表示部６（図１）にエラー画面を表示させ、自動排出処理を終了する。このとき、操作表示部６に表示されるエラー画面は、例えば、図１４（Ａ）〜（Ｄ）に示すエラー画面ＳＣ１〜ＳＣ４である。尚、紙幣制御部２０は、自動排出ボタン１６１がオフされたことで自動排出を中止した場合、エラー画面ＳＣ１〜ＳＣ４の代わりに、自動排出ボタン１６１がオフされたことで自動排出を中止した旨を示す画面（図示せず）を、操作表示部６に表示させるようになっている。
【０１１９】
このように、一時保留部２５では、自動排出を開始した後、紙幣を収納スペースＳｐに自動排出することが可能な正常な状態ではなくなると、紙幣の自動排出を直ちに中止するとともに、エラー画面を介してその原因を作業員に通知するようになっている。また、一時保留部２５では、自動排出を開始した後、自動排出ボタン１６１がオフされると、直ちに紙幣の自動排出を中止するようになっている。
【０１２０】
一方、上述のステップＳＰ１７で、一時保留部２５の現在の状態が、紙幣を収納スペースＳｐに自動排出することが可能な正常な状態であり、且つ自動排出ボタン１６１がオンのままであると判断した場合、紙幣制御部２０は、このステップＳＰ１７で肯定結果を得、自動排出を継続してステップＳＰ２０に移る。ステップＳＰ２０において、紙幣制御部２０は、まだ一時保留部２５内に紙幣が残っているかどうかを判断する。具体的に、紙幣制御部２０は、受け渡しセンサ１３０と、ジャム検知センサ１３１と、ドラム残留センサ１３２の全ての出力結果が一定時間「明」であれば、一時保留部２５内の全ての紙幣を排出し終えたと判断するようになっている。
【０１２１】
ここで、まだ一時保留部２５内に紙幣が残っていると判断した場合、紙幣制御部２０は、ステップＳＰ２０で肯定結果を得てステップＳＰ１６に戻り、自動排出を継続する。これに対して、一時保留部２５内の全ての紙幣を排出し終えたと判断した場合、紙幣制御部２０は、ステップＳＰ２０で否定結果を得、ドラムモータ８２Ａと搬送モータ８２Ｂの回転を停止させることで紙幣の自動排出を終了し、自動排出処理を終了する。自動排出処理の手順は、以上のようになっている。
【０１２２】
［１−７．まとめと効果］
ここまで説明したように、第１の実施の形態の紙幣入出金機１０は、一時保留部２５がクローズ位置からハーフオープン位置まで引き出されると、一時保留部２５の受渡口２５Ｄと上後搬送部２４の受渡口２４Ｄとが離間することにより一時保留部２５と上後搬送部２４との間で紙幣を受け渡すことができない状態になるとともに、一時保留部２５が引き出されることによって空く空間を、一時保留部２５の受渡口２５Ｄから排出される紙幣を収納する収納スペースＳｐとして確保する。
【０１２３】
この状態で、一時保留部２５に設けられている自動排出ボタン１６１が押下（オン）されると、紙幣入出金機１０は、一時保留部２５の状態が、紙幣を収納スペースＳｐに自動排出することが可能な正常な状態であるかどうかを判断する。具体的に、紙幣入出金機１０は、一時保留部２５内にジャム紙幣が存在しないこと、一時保留部２５内に搬送路２５Ｙが形成されていること、一時保留部２５内で主テープ１１２にたるみが発生していないこと、一時保留部２５がハーフオープン位置にあることの４つの条件を満たしているかどうかで、一時保留部２５の状態が、紙幣を収納スペースＳｐに自動排出することが可能な正常な状態であるかどうかを判断する。
【０１２４】
そして、紙幣入出金機１０は、一時保留部２５の状態が紙幣を収納スペースＳｐに自動排出することが可能な正常な状態であると判断した場合にのみ自動排出ボタン１６１の押下（オン）を有効として、一時保留部２５に紙幣の自動排出を行わせ、一時保留部２５から排出された紙幣を収納スペースＳｐに収納するようにした。
【０１２５】
このように、紙幣入出金機１０は、自動排出ボタン１６１の押下（オン）に基づいて紙幣を自動的に排出するように一時保留部２５を動作させることにより、例えば操作ノブを回して一時保留部から手動で紙幣を排出させる場合と比べて、短時間で一時保留部２５から紙幣を除去できる。
【０１２６】
また、紙幣入出金機１０は、一時保留部２５の状態が、紙幣を自動排出することが可能な正常な状態である場合にのみ、自動排出ボタン１６１の押下（オン）を有効とすることにより、一時保留部２５の状態が紙幣を収納スペースＳｐに自動排出することが可能な正常な状態ではないにも関わらす、紙幣を自動排出するように一時保留部２５を動作させてしまうような状況を回避することができる。こうすることで、紙幣入出金機１０は、例えば、一時保留部２５がクローズ位置にある状態のまま紙幣を自動排出しようとしたり、一時保留部２５内にジャム紙幣が存在する状態のまま紙幣を自動排出しようとしたりすることを防ぐことができ、より確実に一時保留部２５から紙幣を自動排出することができる。
【０１２７】
さらに、紙幣入出金機１０は、紙幣の自動排出を指示するための自動排出ボタン１６１を一時保留部２５に設けたことにより、例えば、一時保留部２５から離れた位置にある操作表示部６を操作することなく、一時保留部２５に設けられた自動排出ボタン１６１を操作して紙幣の自動排出を容易に指示することができる。
【０１２８】
［２．第２の実施の形態］
次に第２の実施の形態について説明する。この第２の実施の形態は、一時保留部２５がハーフオープン位置にあるかどうかを検知する方法が、第１の実施の形態とは異なる実施の形態である。ゆえに、ここでは、ハーフオープン位置の検知方法についてのみ説明することにし、他の部分の説明は省略する。
【０１２９】
［２−１．ハーフオープン位置の検知］
第２の実施の形態の一時保留部２５は、ハーフオープン検知センサ１６２の代わりに、図１５（Ａ）〜（Ｃ）に示すプリズム２００が、一時保留部２５の一側面（フレーム８０の左右両側面のうちの一方、又は側板部１６０Ｌ、１６０Ｒのうちの一方）に設けられている。尚、図１５（Ａ）〜（Ｃ）は、プリズム２００とその周辺部分を拡大した上面図であり、一部を省略したり簡略化したりした模式図となっている。また、図１５（Ａ）は、図１１（Ａ）と同様、一時保留部２５がクローズ位置にあるとき、図１５（Ｂ）は、図１１（Ｂ）と同様、ハーフオープン位置にあるとき、図１５（Ｃ）は、図１１（Ｃ）と同様、フルオープン位置にあるときを示している。
【０１３０】
また、上部ユニット１０Ｕには、ディテクタ１５３の代わりに、左側面フレーム１５０Ｌ及び右側面フレーム１５０Ｒのうちの一方、又は左右の支持板部１５１Ｌ、１５１Ｒのうちの一方、もしくは左右の支持腕部１５２Ｌ、１５２Ｒのうちの一方に、ハーフオープン検知センサ２０１が設けられている。尚、図１５（Ａ）〜（Ｃ）では、一例として、フレーム８０の左側面にプリズム２００が設けられ、左側面フレーム１５０Ｌにハーフオープン検知センサ２０１が設けられている。
【０１３１】
このハーフオープン検知センサ２０１は、発光部の発光面と受光部の受光面とが一時保留部２５の一側面（例えばフレーム８０の左側面）へ向くように近接して並べられた構成となっていて、一時保留部２５がハーフオープン位置にあるときのプリズム２００の位置と対向する箇所に設けられている。
【０１３２】
ハーフオープン検知センサ２０１は、図１５（Ａ）〜（Ｃ）に示すように、一時保留部２５がハーフオープン位置以外の位置にあるときには、発光部から発せられた光が、そのまま直進して受光部には戻ってことないことにより出力結果が「暗」となり、ハーフオープン位置にあるときには、発光部から発せられた光がプリズム２００により折り返されて受光部に戻ってくることで出力結果が「明」となるように動作する。紙幣制御部２０は、このハーフオープン検知センサ２０１の出力結果をもとに、一時保留部２５がハーフオープン位置にあるかどうか（つまりハーフオープンしているかどうか）を判断する。
【０１３３】
［２−２．まとめと効果］
ここまで説明したように、第２の実施の形態の紙幣入出金機１０では、プリズム２００とハーフオープン検知センサ２０１とにより、一時保留部２５がハーフオープン位置にあるかどうかを検知するようにした。尚、この第２の実施の形態の紙幣入出金機１０による自動排出処理については、ハーフオープン検知センサ１６２の出力結果の代わりにハーフオープン検知センサ２０１の出力結果を用いる点を除き、図１３に示した第１の実施の形態による自動排出処理と同一となっている。よって、この第２の実施の形態の紙幣入出金機１０も、第１の実施の形態の紙幣入出金１０と同様の効果を得ることができる。
【０１３４】
［３．第３の実施の形態］
次に第３の実施の形態について説明する。この第３の実施の形態は、一時保留部２５がハーフオープン位置にあるときのみ自動排出ボタン１６１を押下できるようにすることで、センサがなくても自動排出ボタン１６１が押下されれば一時保留部２５がハーフオープン位置にあると判断できるようにした実施の形態である。ゆえに、ここでは、自動排出ボタン１６１の押下についてのみ説明することにし、他の部分の説明は省略する。
【０１３５】
［３−１．自動排出ボタン１６１の押下］
第３の実施の形態の一時保留部２５は、ハーフオープン検知センサ１６２及びプリズム２００を有してなく、図１６（Ａ）〜（Ｃ）に示すように、自動排出ボタン１６１が、一時保留部２５の一側面（フレーム８０の左右両側面のうちの一方）に設けられている。尚、図１６（Ａ）〜（Ｃ）は、自動排出ボタン１６１とその周辺部分を拡大した上面図であり、一部を省略したり簡略化したりした模式図となっている。また、図１６（Ａ）は、図１１（Ａ）と同様、一時保留部２５がクローズ位置にあるとき、図１６（Ｂ）は、図１１（Ｂ）と同様、ハーフオープン位置にあるとき、図１６（Ｃ）は、図１１（Ｃ）と同様、フルオープン位置にあるときを示している。この自動排出ボタン１６１は、一時保留部２５がハーフオープン位置以外の位置にあるときに、上部ユニット１０Ｕの左側面フレーム１５０Ｌ及び右側面フレーム１５０Ｒのうちの一方に覆われる位置に設けられている。
【０１３６】
また、上部ユニット１０Ｕは、ディテクタ１５３及びハーフオープン検知センサ２０１を有してなく、左側面フレーム１５０Ｌ及び右側面フレーム１５０Ｒのうちの一方に、自動排出ボタン１６１の外寸より大きなボタン操作孔３００が設けられている。尚、図１６（Ａ）〜（Ｃ）では、一例として、フレーム８０の左側面に自動排出ボタン１６１が設けられ、左側面フレーム１５０Ｌにボタン操作孔３００が設けられている。このボタン操作孔３００は、一時保留部２５がハーフオープン位置にあるときの自動排出ボタン１６１と対向する箇所に設けられている。
【０１３７】
自動排出ボタン１６１は、図１６（Ａ）〜（Ｃ）に示すように、一時保留部２５がハーフオープン位置以外の位置にあるときには、左側面フレーム１５０Ｌに覆われて操作できない状態となり、一時保留部２５がハーフオープン位置にあるときには、左側面フレーム１５０Ｌのボタン操作孔３００から上部ユニット１０Ｕの外部に露出して操作可能な状態となる。よって、作業員は、一時保留部２５をハーフオープン位置まで引き出すことで、ボタン操作孔３００から自動排出ボタン１６１を露出させ、ここで、ボタン操作孔３００に指を入れて自動排出ボタン１６１を押下するようになっている。
【０１３８】
［３−２．まとめと効果］
ここまで説明したように、第３の実施の形態の紙幣入出金機１０では、一時保留部２５がハーフオープン位置にあるときのみ、ボタン操作孔３００から自動排出ボタン１６１を露出させて押下できるようにした。これにより、第３の実施の形態の紙幣入出金機１０では、自動排出ボタン１６１が押下（オン）された時点で、一時保留部２５がハーフオープン位置にあることが確定する。よって、紙幣制御部２０は、自動排出処理時、自動排出ボタン１６１が押下（オン）されていれば、一時保留部２５の現在の状態が上述した第４の条件（一時保留部２５がハーフオープン位置にあること）を満たしていると判断するようになっている。この点を除き、第３の実施の形態の紙幣入出金機１０による自動排出処理については、図１３に示した第１の実施の形態による自動排出処理と同一となっている。よって、この第３の実施の形態の紙幣入出金機１０も、第１の実施の形態の紙幣入出金１０と同様の効果を得ることができる。
【０１３９】
また、この第３の実施の形態の紙幣入出金機１０では、一時保留部２５がハーフオープン位置にあるかどうかを検知するセンサを必要としないため、紙幣入出金機１０の構成を簡略化することができ、部品コストを削減できる。尚、この第３の実施の形態の紙幣入出金機１０では、自動排出ボタン１６１が押下されている場合に一時保留部２５がハーフオープン位置にあると判断するため、押下されている間だけオンする構成の自動排出ボタン１６１を用いることが望ましい。
【０１４０】
［４．他の実施の形態］
［４−１．他の実施の形態１］
尚、上述した第１の実施の形態では、一時保留部２５にハーフオープン検知センサ１６２を設け、一時保留部２５の外部にディテクタ１５３を設けるようにしたが、これとは逆に、一時保留部２５にディテクタ１５３を設け、一時保留部２５の外部にハーフオープン検知センサ１６２を設けるようにしてもよい。また、上述した第２の実施の形態では、一時保留部２５にプリズム２００を設け、一時保留部２５の外部にハーフオープン検知センサ２０１を設けるようにしたが、これとは逆に、一時保留部２５にハーフオープン検知センサ２０１を設け、一時保留部２５の外部にプリズム２００を設けるようにしてもよい。さらに、上述した第１及び第２の実施の形態では、一時保留部２５に自動排出ボタン１６１を設けるようにしたが、これに限らず、一時保留部２５の外部（例えば上部ユニット１０Ｕの左側面フレーム１５０Ｌ及び右側面フレーム１５０Ｒのうちの一方の外側面）に自動排出ボタン１６１を設けるようにしてもよい。
【０１４１】
［４−２．他の実施の形態２］
さらに、上述した第１乃至第３の実施の形態では、一時保留部２５に設けられた自動排出ボタン１６１が押下（オン）されると、紙幣制御部２０が、一時保留部２５から自動的に紙幣を排出する自動排出処理を開始するようにした。これに限らず、紙幣制御部２０が、各センサの出力結果をもとに一時保留部２５の状態を監視し、一時保留部２５の状態が、紙幣を収納スペースＳｐに自動排出することが可能な正常な状態となった時点（つまり上述した第１乃至第４の条件を満たした時点）で、自動的に自動排出処理を開始するようにしてもよい。この場合、一時保留部２５から自動排出ボタン１６１を取り除くようにしてもよい。
【０１４２】
［４−３．他の実施の形態３］
さらに、上述した各実施の形態では、一時保留部２５の状態が上述した第１乃至第４の条件の全てを満たしている場合にのみ、自動排出ボタン１６１の押下（オン）を有効として、一時保留部２５が紙幣の自動排出を行うようにしたが、これに限らず、上述した第１乃至第４の条件のうち、少なくとも第４の条件（一時保留部２５がハーフオープン位置にあること）を含んだ１以上の条件を満たしている場合に、自動排出ボタン１６１の押下（オン）を有効として、一時保留部２５が自動排出を行うようにしてもよい。例えば、第４の条件を満たしている場合に、紙幣制御部２０が、自動排出ボタン１６１の押下（オン）を有効として、一時保留部２５に紙幣の自動排出を開始させ、自動排出を開始させた後、第１乃至第４の条件のうち１つでも満たしていない条件があれば、自動排出を中止させるようにしてもよい。また、例えば、第４の条件を満たしている場合に（つまり一時保留部２５がハーフオープン位置まで引き出されると）、紙幣制御部２０が、自動的に一時保留部２５に紙幣の自動排出を開始させるようにしてもよい。
【０１４３】
さらに、例えば自動排出ボタン１６１に発光部を設け、一時保留部２５の状態が紙幣を収納スペースＳｐに自動排出することが可能な正常な状態になっている場合と、なっていない場合とで、紙幣制御部２０が、この発光部の発光状態を変化させるようにしてもよい。このようにすれば、作業員は、操作表示部６を確認しなくとも、自動排出ボタン１６１の発光状態から、一時保留部２５の状態が紙幣を収納スペースＳｐに自動排出することが可能な正常な状態になっているかどうかを確認することができる。
【０１４４】
［４−４．他の実施の形態４］
さらに、上述した第１乃至第３の実施の形態では、一時保留部２５をクローズ位置から後方にスライド可能な構成とし、一時保留部２５を後方にスライドさせることによって空く空間を、ハーフオープン位置にある一時保留部２５から排出される紙幣を収納する収納スペースＳｐとして利用するようにした。これに限らず、例えば、一時保留部２５をクローズ位置から上方にスライド可能な構成とするとともに、上後搬送部２４の上面に紙幣を収納する収納部を設け、一時保留部２５をクローズ位置から上方にスライドさせた状態で、一時保留部２５から紙幣を排出して上後搬送部２４の上面に設けられた収納部に収納するようにしてもよい。またこれに限らず、例えば、上後搬送部２４の上部を上方にスライド可能な構成とし、上後搬送部２４の上部を上方にスライドさせることによってクローズ位置にある一時保留部２５の前方に空く空間を、クローズ位置にある一時保留部２５から排出される紙幣を収納する収納スペースとして利用するなどしてもよい。
【０１４５】
さらに、上述した第１乃至第３の実施の形態では、収納スペースＳｐの上側前部と前側と下側とを、上後搬送部２４の搬送路６０を形成する搬送ガイド１７０で覆うようにしたが、これに限らず、搬送ガイド１７０とは別の部材で覆うようにしてもよい。
【０１４６】
［４−５．他の実施の形態５］
さらに、上述した第１乃至第３の実施の形態では、紙幣制御部２０が、受け渡しセンサ１３０とジャム検知センサ１３１の出力結果をもとに、一時保留部２５の搬送路２５Ｙ上にジャム紙幣が存在するかどうかを判断するようにした。これに限らず、受け渡しセンサ１３０とジャム検知センサ１３１のうちのどちらか一方の出力結果をもとに、一時保留部２５の搬送路２５Ｙ上にジャム紙幣が存在するかどうかを判断するようにしてもよい。
【０１４７】
さらに、上述した第１乃至第３の実施の形態では、受け渡しセンサ１３０を用いて、搬送路２５Ｙの受渡口２５Ｄ近傍に存在する紙幣を検知するようにしたが、これに限らず、搬送路２５Ｙの受渡口２５Ｄ近傍に存在する紙幣を検知できるものであれば、受け渡しセンサ１３０とは異なる構成の検知部を用いてもよい。さらに、上述した第１乃至第３の実施の形態では、ジャム検知センサ１３１を用いて、搬送路２５Ｙのドラム８１近傍に存在するジャム紙幣を検知するようにしたが、これに限らず、搬送路２５Ｙのドラム８１近傍に存在するジャム紙幣を検知できるものであれば、ジャム検知センサ１３１とは異なる構成の検知部を用いてもよい。
【０１４８】
さらに、上述した第１乃至第３の実施の形態では、ドラム残留センサ１３２を用いて、ドラム８１に巻き付けられている紙幣の有無を検知するようにしたが、これに限らず、ドラム８１に巻き付けられている紙幣の有無を検知できるものであれば、ドラム残留センサ１３２とは異なる構成の検知部を用いてもよい。さらに、上述した第１乃至第３の実施の形態では、ガイド開閉センサ１３３を用いて、上側ガイド８６及びオープンガイド８７がクローズ位置にあるかどうか検知するようにしたが、これに限らず、上側ガイド８６及びオープンガイド８７がクローズ位置にあるかどうか検知できるものであれば、ガイド開閉センサ１３３とは異なる構成の検知部を用いてもよい。
【０１４９】
さらに、上述した第１乃至第３の実施の形態では、リール回転検知センサ１３４を用いて、リール１１１の回転速度を検知するようにしたが、これに限らず、リール１１１の回転速度を検知できるものであれば、リール回転検知センサ１３４とは異なる構成の検知部を用いてもよい。
【０１５０】
さらに、上述した第１の実施の形態では、検知部としてのハーフオープン検知センサ１６２とディテクタ１５３を用いて、一時保留部２５の位置がハーフオープン位置にあるかどうかを検知するようにしたが、これに限らず、一時保留部２５の位置がハーフオープン位置にあるかどうかを検知できるものであれば、ハーフオープン検知センサ１６２及びディテクタ１５３とは異なる構成の検知部を用いてもよい。さらに、上述した第２の実施の形態では、検知部としてのハーフオープン検知センサ２０１とプリズム２００を用いて、一時保留部２５の位置がハーフオープン位置にあるかどうかを検知するようにしたが、これに限らず、一時保留部２５の位置がハーフオープン位置にあるかどうかを検知できるものであれば、ハーフオープン検知センサ２０１及びプリズム２００とは異なる構成の検知部を用いてもよい。
【０１５１】
［４−６．他の実施の形態６］
さらに、上述した第１乃至第３の実施の形態では、自動排出ボタン１６１の押下に応じて一時保留部２５が紙幣を自動排出するようにした。これにくわえて、例えば、一時保留部２５の一面に従来と同様の操作ノブを設け、一時保留部２５が紙幣を自動排出できない場合には、作業員が操作ノブを回転させることにより、手動で一時保留部２５から紙幣を排出できるようにしてもよい。
【０１５２】
［４−７．他の実施の形態７］
さらに、上述した各実施の形態では、本発明を、テープ方式の一時保留部２５を有する媒体処理装置としての紙幣入出金機１０に適用したが、これに限らず、紙幣、紙、切符などの媒体をテープとともにドラムに巻き付けて収納する一時保留部を有するものであれば、紙幣入出金機１０とは異なる構成の媒体処理装置にも適用できる。さらに、上述した各実施の形態では、本発明を、紙幣を扱う自動取引装置としての現金自動預払機１に適用したが、これに限らず、紙幣、紙、切符などの媒体をテープとともにドラムに巻き付けて収納する一時保留部を有するものであれば、現金自動預払機１とは異なる構成の自動取引装置にも適用できる。
【０１５３】
［４−８．他の実施の形態８］
さらに、上述した各実施の形態では、紙幣入出金機１０に、一時保留部の動作を制御する制御部の具体例として、紙幣制御部２０を設けたが、一時保留部の動作を制御できるものであれば、紙幣制御部２０とは異なる制御部を設けてもよい。さらに、上述した各実施の形態では、一時保留部２５に、媒体を搬送する搬送部の具体例として、搬送モータ８２Ｂ、搬送ローラ９０、９１を設けたが、媒体を搬送できるものであれば、搬送モータ８２Ｂ、搬送ローラ９０、９１とは異なる搬送部を設けてもよい。さらに、上述した実施の形態では、一時保留部２５に、ドラムを回転させる駆動部の具体例として、ドラムモータ８２Ａを設けたが、ドラムを回転できるものであれば、ドラムモータ８２Ａとは異なる駆動部を設けてもよい。さらに、上述した各実施の形態では、ドラムに巻き付けられた媒体の排出を指示するための操作部の具体例として、自動排出ボタン１６１を用いたが、媒体の排出を指示できるものであれば、自動排出ボタン１６１とは異なる操作部（例えばロッカースイッチなど）を用いてもよい。
【０１５４】
［４−９．他の実施の形態９］
さらに、本発明は、上述した各実施の形態に限定されるものではない。すなわち本発明は、上述した第１乃至第３の実施の形態と他の実施の形態の一部又は全部を任意に組み合わせた実施の形態や、一部を抽出した実施の形態にもその適用範囲が及ぶものである。
【産業上の利用可能性】
【０１５５】
本発明は、テープ方式の一時保留部を有する種々の媒体処理装置で利用できる。
【符号の説明】
【０１５６】
１……現金自動預払機、６……操作表示部、１０……紙幣入出金機、２０……紙幣制御部、２４……上後搬送部、２５……一時保留部、２５Ｙ、６０……搬送路、８０……フレーム、８１……ドラム、８２Ａ……ドラムモータ、８２Ｂ……搬送モータ、８４……下側固定ガイド、８５……下側可動ガイド、８６……上側ガイド、８７……オープンガイド、９０、９１、９７、９８……搬送ローラ、１１２……主テープ、１２２……補助テープ、１３０……受け渡しセンサ、１３１……ジャム検知センサ、１３２……ドラム検知センサ、１３３……ガイド開閉センサ、１３４……リール回転検知センサ、１６１……自動排出ボタン、１６２、２０１……ハーフオープン検知センサ、３００……ボタン操作孔。
【図１】
2019212054.tif 000003
【図２】
2019212054.tif 000004
【図３】
2019212054.tif 000005
【図４】
2019212054.tif 000006
【図５】
2019212054.tif 000007
【図６】
2019212054.tif 000008
【図７】
2019212054.tif 000009
【図８】
2019212054.tif 000010
【図９】
2019212054.tif 000011
【図１０】
2019212054.tif 000012
【図１１】
2019212054.tif 000013
【図１２】
2019212054.tif 000014
【図１３】
2019212054.tif 000015
【図１４】
2019212054.tif 000016
【図１５】
2019212054.tif 000017
【図１６】
2019212054.tif 000018